(57)【特許請求の範囲】
【請求項１】
フレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が３４００以上で４４００以下の数値に設定され、量子化ビット数を１０ビットとし、各有効ライン部についての映像信号情報をあらわすためには用いられない禁止コードが、上位８ビットを１６進表現で００ｈもしくはＦＦｈ（添字ｈは１６進数であることをあらわす）とする全ての１０ビットコードとされたディジタル映像信号を成し、各々が１０ビットワード列データとされた緑色原色信号データ系列と青色原色信号データ系列と赤色原色信号データ系列との並列配置をもって形成された３０ビットパラレルデータに、
各ライン部における有効データサンプルを１サンプルずつ順次振り分けることにより、各々がフレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が１７００以上で２２００以下の数値に設定されたディジタル映像信号を成す、第１及び第２の分割ディジタルデータを形成し、
該第１及び第２の分割ディジタルデータの夫々について、第１の一つ置きのライン部及び第２の一つ置きのライン部を夫々第１及び第２のメモリに格納し、上記第１のメモリに格納されたライン部及び上記第２のメモリに格納されたライン部の夫々を、フレームレートを２４Ｈｚ，２５Ｈｚもしくは３０Ｈｚとするセグメンテッドフレームディジタル映像信号を成す緑色原色信号データ系列，青色原色信号データ系列及び赤色原色信号データ系列を含む３０ビットパラレルデータを形成するものとして読み出して、ワード伝送レートを７４．２５ＭＢｐｓとする３０ビットワード列データを得る処理を行うことにより、各々がワード伝送レートを７４．２５ＭＢｐｓとする第１から第４までの３０ビットワード列データを得、
該第１から第４までの３０ビットワード列データの夫々について、緑色原色信号データ系列，青色原色信号データ系列及び赤色原色信号データ系列の夫々を形成する１０ビットワードを、該緑色原色信号データ系列を形成する１０ビットワードと該青色原色信号データ系列及び赤色原色信号データ系列の夫々を形成する１０ビットワードの一部とを含む第１のワードグループと、補助データ系列を形成する１０ビットワードと上記青色原色信号データ系列及び赤色原色信号データ系列の夫々を形成する１０ビットワードの他の一部とを含む第２のワードグループとに振り分け、上記第１及び第２のワードグループの夫々に基づくワード伝送レートを７４．２５ＭＢｐｓとする２０ビットワード列データを得る処理を行うことにより、各々がワード伝送レートを７４．２５ＭＢｐｓとする第１から第８までの２０ビットワード列データを形成するデータ処理を施し、
上記第１から第８までの２０ビットワード列データに夫々基づく第１から第８までのシリアルデータを得て、該第１から第８までのシリアルデータを伝送すべく送出するデータ伝送方法。
【請求項２】
第１から第８までのシリアルデータを第１から第８までの光信号に夫々変換して送出することを特徴とする請求項１記載のデータ伝送方法。
【請求項３】
第１から第８までのシリアルデータを所定の波長間隔をおいて順次近接する中心波長を有した第１から第８までの光信号に夫々変換し、該第１から第８までの光信号を合波して送出することを特徴とする請求項１記載のデータ伝送方法。
【請求項４】
第１から第８までのシリアルデータのうちの二つずつが構成する第１から第４までの組の夫々にビット多重処理を施して第１から第４までの複合シリアルデータを得、該第１から第４までの複合シリアルデータを伝送することを特徴とする請求項１記載のデータ伝送方法。
【請求項５】
第１から第４までの複合シリアルデータを所定の波長間隔をおいて順次近接する中心波長を有した第１から第４までの光信号に夫々変換し、該第１から第４までの光信号を合波して送出することを特徴とする請求項４記載のデータ伝送方法。
【請求項６】
第１から第４までの複合シリアルデータのうちの二つを夫々互いに中心波長を異にする第１及び第２の光信号に変換し、該第１及び第２の光信号を合波して伝送するとともに、上記第１から第４までの複合シリアルデータのうちの残りの二つを夫々互いに中心波長を異にする第３及び第４の光信号に変換し、該第３及び第４の光信号を合波して伝送することを特徴とする請求項４記載のデータ伝送方法。
【請求項７】
フレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が３４００以上で４４００以下の数値に設定され、量子化ビット数を１２ビット，１４ビットもしくは１６ビットとし、量子化ビット数を１２ビットとするとき、各有効ライン部についての映像信号情報をあらわすためには用いられない禁止コードが、上位８ビットが１６進表現で００ｈもしくはＦＦｈ（添字ｈは１６進数であることをあらわす）となる全ての１２ビットコードとされ、量子化ビット数を１４ビットとするとき、各有効ライン部についての映像信号情報をあらわすためには用いられない禁止コードが、上位８ビットが１６進表現で００ｈもしくはＦＦｈとなる全ての１４ビットコードとされ、量子化ビット数を１６ビットとするとき、各有効ライン部についての映像信号情報をあらわすためには用いられない禁止コードが、上位８ビットが１６進表現で００ｈもしくはＦＦｈとなる全ての１６ビットコードとされるディジタル映像信号を成し、各々が１２ビット，１４ビットもしくは１６ビットワード列データとされた輝度信号データ系列と色差信号データ系列との並列配置をもって形成された２４ビット，２８ビットもしくは３２ビットパラレルデータに、
各ライン部における有効データサンプルを１サンプルもしくは２サンプルずつ順次振り分けることにより、各々がフレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が１７００以上で２２００以下の数値に設定されたディジタル映像信号を成す、第１及び第２の分割ディジタルデータを形成し、
該第１及び第２の分割ディジタルデータの夫々について、第１の一つ置きのライン部及び第２の一つ置きのライン部を夫々第１及び第２のメモリに格納し、上記第１のメモリに格納されたライン部及び上記第２のメモリに格納されたライン部の夫々を、フレームレートを２４Ｈｚ，２５Ｈｚもしくは３０Ｈｚとするセグメンテッドフレームディジタル映像信号を成す２４ビット，２８ビットもしくは３２ビットパラレルデータを形成するものとして読み出し、ワード伝送レートを７４．２５ＭＢｐｓとする２４ビット，２８ビットもしくは３２ビットワード列データを得る処理を行うことにより、各々がワード伝送レートを７４．２５ＭＢｐｓとする第１から第４までの２４ビット，２８ビットもしくは３２ビットワード列データを得、
該第１から第４までの２４ビット，２８ビットもしくは３２ビットワード列データの夫々について、輝度信号データ系列及び色差信号データ系列の夫々を形成する各１２ビット，１４ビットもしくは１６ビットワードを、上位１０ビットと下位２ビット，４ビットもしくは６ビットとに分割し、分割された複数の上位１０ビットに基づく、ワード伝送レートを７４．２５ＭＢｐｓとする２０ビットワード列と、分割された複数の下位２ビット，４ビットもしくは６ビットと補助ビットとに基づく、ワード伝送レートを７４．２５ＭＢｐｓとする２０ビットワード列データとを得る処理を行うことにより、各々がワード伝送レートを７４．２５ＭＢｐｓとする第１から第８までの２０ビットワード列データを形成するデータ処理を施し、
上記第１から第８までの２０ビットワード列データに夫々基づく第１から第８までのシリアルデータを得て、該第１から第８までのシリアルデータを伝送すべく送出するデータ伝送方法。
【請求項８】
第１から第８までのシリアルデータを第１から第８までの光信号に夫々変換して送出することを特徴とする請求項７記載のデータ伝送方法。
【請求項９】
第１から第８までのシリアルデータを所定の波長間隔をおいて順次近接する中心波長を有した第１から第８までの光信号に夫々変換し、該第１から第８までの光信号を合波して送出することを特徴とする請求項７記載のデータ伝送方法。
【請求項１０】
第１から第８までのシリアルデータのうちの二つずつが構成する第１から第４までの組の夫々にビット多重処理を施して第１から第４までの複合シリアルデータを得、該第１から第４までの複合シリアルデータを伝送することを特徴とする請求項７記載のデータ伝送方法。
【請求項１１】
第１から第４までの複合シリアルデータを所定の波長間隔をおいて順次近接する中心波長を有した第１から第４までの光信号に夫々変換し、該第１から第４までの光信号を合波して送出することを特徴とする請求項１０記載のデータ伝送方法。
【請求項１２】
第１から第４までの複合シリアルデータのうちの二つを夫々互いに中心波長を異にする第１及び第２の光信号に変換し、該第１及び第２の光信号を合波して伝送するとともに、上記第１から第４までの複合シリアルデータのうちの残りの二つを夫々互いに中心波長を異にする第３及び第４の光信号に変換し、該第３及び第４の光信号を合波して伝送することを特徴とする請求項１０記載のデータ伝送方法。
【請求項１３】
フレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が３４００以上で４４００以下の数値に設定され、量子化ビット数を１２ビットとし、各有効ライン部についての映像信号情報をあらわすためには用いられない禁止コードが、上位８ビットが１６進表現で００ｈもしくはＦＦｈ（添字ｈは１６進数であることをあらわす）となる全ての１２ビットコードとされるディジタル映像信号を成し、各々が１２ビットワード列データとされた緑色原色信号データ系列と青色原色信号データ系列と赤色原色信号データ系列との並列配置をもって形成された３６ビットパラレルデータに、
各ライン部における有効データサンプルを１サンプルずつ順次振り分けることにより、各々がフレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が１７００以上で２２００以下の数値に設定されたディジタル映像信号を成す、第１及び第２の分割ディジタルデータを形成し、
該第１及び第２の分割ディジタルデータの夫々について、第１の一つ置きのライン部及び第２の一つ置きのライン部を夫々第１及び第２のメモリに格納し、上記第１のメモリに格納されたライン部及び上記第２のメモリに格納されたライン部の夫々を、フレームレートを２４Ｈｚ，２５Ｈｚもしくは３０Ｈｚとするセグメンテッドフレームディジタル映像信号を成す緑色原色信号データ系列，青色原色信号データ系列及び赤色原色信号データ系列を含む３６ビットパラレルデータを形成するものとして読み出して、ワード伝送レートを７４．２５ＭＢｐｓとする３６ビットワード列データを得る処理を行うことにより、各々がワード伝送レートを７４．２５ＭＢｐｓとする第１から第４までの３６ビットワード列データを得、
該第１から第４までの３６ビットワード列データの夫々について、緑色原色信号データ系列，青色原色信号データ系列及び赤色原色信号データ系列の夫々を形成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とに基づく、ワード伝送レートを７４．２５ＭＢｐｓとする２０ビットワード列と、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと補助ビットとに基づく、ワード伝送レートを７４．２５ＭＢｐｓとする２０ビットワード列データとを得る処理を行うことにより、各々がワード伝送レートを７４．２５ＭＢｐｓとする第１から第８までの２０ビットワード列データを形成するデータ処理を施し、
上記第１から第８までの２０ビットワード列データに夫々基づく第１から第８までのシリアルデータを得て、該第１から第８までのシリアルデータを伝送すべく送出するデータ伝送方法。
【請求項１４】
第１から第８までのシリアルデータを第１から第８までの光信号に夫々変換して送出することを特徴とする請求項１３記載のデータ伝送方法。
【請求項１５】
第１から第８までのシリアルデータを所定の波長間隔をおいて順次近接する中心波長を有した第１から第８までの光信号に夫々変換し、該第１から第８までの光信号を合波して送出することを特徴とする請求項１３記載のデータ伝送方法。
【請求項１６】
第１から第８までのシリアルデータのうちの二つずつが構成する第１から第４までの組の夫々にビット多重処理を施して第１から第４までの複合シリアルデータを得、該第１から第４までの複合シリアルデータを伝送することを特徴とする請求項１３記載のデータ伝送方法。
【請求項１７】
第１から第４までの複合シリアルデータを所定の波長間隔をおいて順次近接する中心波長を有した第１から第４までの光信号に夫々変換し、該第１から第４までの光信号を合波して送出することを特徴とする請求項１６記載のデータ伝送方法。
【請求項１８】
第１から第４までの複合シリアルデータのうちの二つを夫々互いに中心波長を異にする第１及び第２の光信号に変換し、該第１及び第２の光信号を合波して伝送するとともに、上記第１から第４までの複合シリアルデータのうちの残りの二つを夫々互いに中心波長を異にする第３及び第４の光信号に変換し、該第３及び第４の光信号を合波して伝送することを特徴とする請求項１６記載のデータ伝送方法。
【請求項１９】
フレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が３４００以上で４４００以下の数値に設定され、量子化ビット数を１０ビットとし、各有効ライン部についての映像信号情報をあらわすためには用いられない禁止コードが、上位８ビットを１６進表現で００ｈもしくはＦＦｈ（添字ｈは１６進数であることをあらわす）とする全ての１０ビットコードとされたディジタル映像信号を成し、各々が１０ビットワード列データとされた緑色原色信号データ系列と青色原色信号データ系列と赤色原色信号データ系列との並列配置をもって形成された３０ビットパラレルデータに、各ライン部における有効データサンプルを１サンプルずつ順次振り分けることにより、各々がフレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が１７００以上で２２００以下の数値に設定されたディジタル映像信号を成す、第１及び第２の分割ディジタルデータを形成し、該第１及び第２の分割ディジタルデータの夫々について、第１の一つ置きのライン部及び第２の一つ置きのライン部を夫々第１及び第２のメモリに格納し、上記第１のメモリに格納されたライン部及び上記第２のメモリに格納されたライン部の夫々を、フレームレートを２４Ｈｚ，２５Ｈｚもしくは３０Ｈｚとするセグメンテッドフレームディジタル映像信号を成す緑色原色信号データ系列，青色原色信号データ系列及び赤色原色信号データ系列を含む３０ビットパラレルデータを形成するものとして読み出して、ワード伝送レートを７４．２５ＭＢｐｓとする３０ビットワード列データを得る処理を行うことにより、各々がワード伝送レートを７４．２５ＭＢｐｓとする第１から第４までの３０ビットワード列データを得、該第１から第４までの３０ビットワード列データの夫々について、緑色原色信号データ系列，青色原色信号データ系列及び赤色原色信号データ系列の夫々を形成する１０ビットワードを、該緑色原色信号データ系列を形成する１０ビットワードと該青色原色信号データ系列及び赤色原色信号データ系列の夫々を形成する１０ビットワードの一部とを含む第１のワードグループと、補助データ系列を形成する１０ビットワードと上記青色原色信号データ系列及び赤色原色信号データ系列の夫々を形成する１０ビットワードの他の一部とを含む第２のワードグループとに振り分け、上記第１及び第２のワードグループの夫々に基づくワード伝送レートを７４．２５ＭＢｐｓとする２０ビットワード列データを得る処理を行うことにより、各々がワード伝送レートを７４．２５ＭＢｐｓとする第１から第８までの２０ビットワード列データを形成するデータ処理を施すデータ処理部と、
上記第１から第８までの２０ビットワード列データに夫々基づく第１から第８までのシリアルデータを得る第１から第８までのパラレル／シリアル変換部と、  該第１から第８までのパラレル／シリアル変換部から夫々得られる第１から第８までのシリアルデータを伝送すべく送出する第１から第８までのデータ送出部と、
を備えて構成されるデータ伝送装置。
【請求項２０】
フレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が３４００以上で４４００以下の数値に設定され、量子化ビット数を１２ビット，１４ビットもしくは１６ビットとし、量子化ビット数を１２ビットとするとき、各有効ライン部についての映像信号情報をあらわすためには用いられない禁止コードが、上位８ビットが１６進表現で００ｈもしくはＦＦｈ（添字ｈは１６進数であることをあらわす）となる全ての１２ビットコードとされ、量子化ビット数を１４ビットとするとき、各有効ライン部についての映像信号情報をあらわすためには用いられない禁止コードが、上位８ビットが１６進表現で００ｈもしくはＦＦｈとなる全ての１４ビットコードとされ、量子化ビット数を１６ビットとするとき、各有効ライン部についての映像信号情報をあらわすためには用いられない禁止コードが、上位８ビットが１６進表現で００ｈもしくはＦＦｈとなる全ての１６ビットコードとされるディジタル映像信号を成し、各々が１２ビット，１４ビットもしくは１６ビットワード列データとされた輝度信号データ系列と色差信号データ系列との並列配置をもって形成された２４ビット，２８ビットもしくは３２ビットパラレルデータに、各ライン部における有効データサンプルを１サンプルもしくは２サンプルずつ順次振り分けることにより、各々がフレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が１７００以上で２２００以下の数値に設定されたディジタル映像信号を成す、第１及び第２の分割ディジタルデータを形成し、該第１及び第２の分割ディジタルデータの夫々について、第１の一つ置きのライン部及び第２の一つ置きのライン部を夫々第１及び第２のメモリに格納し、上記第１のメモリに格納されたライン部及び上記第２のメモリに格納されたライン部の夫々を、フレームレートを２４Ｈｚ，２５Ｈｚもしくは３０Ｈｚとするセグメンテッドフレームディジタル映像信号を成す２４ビット，２８ビットもしくは３２ビットパラレルデータを形成するものとして読み出し、ワード伝送レートを７４．２５ＭＢｐｓとする２４ビット，２８ビットもしくは３２ビットワード列データを得る処理を行うことにより、各々がワード伝送レートを７４．２５ＭＢｐｓとする第１から第４までの２４ビット，２８ビットもしくは３２ビットワード列データを得、該第１から第４までの２４ビット，２８ビットもしくは３２ビットワード列データの夫々について、輝度信号データ系列及び色差信号データ系列の夫々を形成する各１２ビット，１４ビットもしくは１６ビットワードを、上位１０ビットと下位２ビット，４ビットもしくは６ビットとに分割し、分割された複数の上位１０ビットに基づく、ワード伝送レートを７４．２５ＭＢｐｓとする２０ビットワード列と、分割された複数の下位２ビット，４ビットもしくは６ビットと補助ビットとに基づく、ワード伝送レートを７４．２５ＭＢｐｓとする２０ビットワード列データとを得る処理を行うことにより、各々がワード伝送レートを７４．２５ＭＢｐｓとする第１から第８までの２０ビットワード列データを形成するデータ処理を施すデータ処理部と、
上記第１から第８までの２０ビットワード列データに夫々基づく第１から第８までのシリアルデータを得る第１から第８までのパラレル／シリアル変換部と、  該第１から第８までのパラレル／シリアル変換部から夫々得られる第１から第８までのシリアルデータを伝送すべく送出する第１から第８までのデータ送出部と、
を備えて構成されるデータ伝送装置。
【請求項２１】
フレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が３４００以上で４４００以下の数値に設定され、量子化ビット数を１２ビットとし、各有効ライン部についての映像信号情報をあらわすためには用いられない禁止コードが、上位８ビットが１６進表現で００ｈもしくはＦＦｈ（添字ｈは１６進数であることをあらわす）となる全ての１２ビットコードとされるディジタル映像信号を成し、各々が１２ビットワード列データとされた緑色原色信号データ系列と青色原色信号データ系列と赤色原色信号データ系列との並列配置をもって形成された３６ビットパラレルデータに、各ライン部における有効データサンプルを１サンプルずつ順次振り分けることにより、各々がフレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が１７００以上で２２００以下の数値に設定されたディジタル映像信号を成す、第１及び第２の分割ディジタルデータを形成し、該第１及び第２の分割ディジタルデータの夫々について、第１の一つ置きのライン部及び第２の一つ置きのライン部を夫々第１及び第２のメモリに格納し、上記第１のメモリに格納されたライン部及び上記第２のメモリに格納されたライン部の夫々を、フレームレートを２４Ｈｚ，２５Ｈｚもしくは３０Ｈｚとするセグメンテッドフレームディジタル映像信号を成す緑色原色信号データ系列，青色原色信号データ系列及び赤色原色信号データ系列を含む３６ビットパラレルデータを形成するものとして読み出して、ワード伝送レートを７４．２５ＭＢｐｓとする３６ビットワード列データを得る処理を行うことにより、各々がワード伝送レートを７４．２５ＭＢｐｓとする第１から第４までの３６ビットワード列データを得、該第１から第４までの３６ビットワード列データの夫々について、緑色原色信号データ系列，青色原色信号データ系列及び赤色原色信号データ系列の夫々を形成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とに基づく、ワード伝送レートを７４．２５ＭＢｐｓとする２０ビットワード列と、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと補助ビットとに基づく、ワード伝送レートを７４．２５ＭＢｐｓとする２０ビットワード列データとを得る処理を行うことにより、各々がワード伝送レートを７４．２５ＭＢｐｓとする第１から第８までの２０ビットワード列データを形成するデータ処理を施すデータ処理部と、
上記第１から第８までの２０ビットワード列データに夫々基づく第１から第８までのシリアルデータを得る第１から第８までのパラレル／シリアル変換部と、  該第１から第８までのパラレル／シリアル変換部から夫々得られる第１から第８までのシリアルデータを伝送すべく送出する第１から第８までのデータ送出部と、
を備えて構成されるデータ伝送装置。
【発明の詳細な説明】
【０００１】
【発明の属する技術分野】
本願の特許請求の範囲に記載された発明は、映像信号情報をあらわす量子化ビット数を１０ビット，１２ビット，１４ビットもしくは１６ビットとするディジタルデータをシリアル伝送するデータ伝送方法及びその実施に供されるデータ伝送装置に関する。
【０００２】
【従来の技術】
映像信号の分野においては、伝達情報の多様化及び再生画像の高品質化を実現する観点等からのディジタル化が図られており、例えば、映像信号情報をあらわすディジタルデータによって形成されるディジタル映像信号を扱う高精細度テレビジョン(High Definition Television:ＨＤＴＶ）システム等が提案されている。ＨＤＴＶシステムのもとにおけるディジタル映像信号（以下、ＨＤディジタル映像信号という）は、例えば、ＢＴＡ（Broadcasting Technology Association:放送技術開発協議会）により制定された規格に従って形成され、Ｙ，ＰB ／ＰR 形式のものとＧ，Ｂ，Ｒ形式のものとがある。Ｙ，ＰB ／ＰR 形式の場合、Ｙは輝度信号を意味し、ＰB 及びＰR は色差信号を意味する。また、Ｇ，Ｂ，Ｒ形式の場合、Ｇ，Ｂ及びＲは夫々緑色原色信号，青色原色信号及び赤色原色信号を意味する。
【０００３】
Ｙ，ＰB ／ＰR 形式のＨＤディジタル映像信号は、フレームレートが３０Ｈｚあるいは３０／１．００１Ｈｚ（本願においてはこれらのいずれをも３０Ｈｚという。）とされたもとで、各フレーム画像が第１フィールド画像と第２フィールド画像とに分けられて形成される飛び越し走査用の信号とされ、例えば、図３９に示される如くのデータフォーマットに従うものとされる。図３９に示されるデータフォーマットは、図３９のＡに示される如くの、映像信号における輝度信号情報をあらわす輝度信号データ系列（Ｙデータ系列）と、図３９のＢに示される如くの、映像信号における色差信号情報をあらわす色差信号データ系列（ＰB ／ＰR データ系列）とから成り、Ｙデータ系列及びＰB ／ＰR データ系列の夫々は、量子化ビット数を１０ビットとし、従って、それを形成するワードデータの各々が１０ビット構成とされ、また、そのワード伝送レートは、例えば、７４．２５ＭＢｐｓとされる。そして、図３９のＡには、Ｙデータ系列における各ライン部中のラインブランキング部及びその前後における映像データ部の一部分が示されており、また、図３９のＢには、ＰB ／ＰR データ系列における各ライン部中のラインブランキング部及びその前後における映像データ部の一部分が示されている。
【０００４】
Ｙデータ系列にあっては、各映像データ部の直前に、各々が１０ビット構成とされる４ワード（３ＦＦ（Ｙ），０００（Ｙ），０００（Ｙ），ＸＹＺ（Ｙ）；３ＦＦ，０００及びＸＹＺは１６進表現であり、（Ｙ）はＹデータ系列中のワードであることをあらわす。）から成るタイミング基準コードデータ（ＳＡＶ： Start of Active Video )が配されるとともに、各映像データ部の直後に、各々が１０ビット構成とされる４ワード（３ＦＦ（Ｙ），０００（Ｙ），０００（Ｙ），ＸＹＺ（Ｙ））から成るタイミング基準コードデータ（ＥＡＶ： End of Active Video )が配される。同様にして、ＰB ／ＰR データ系列にあっても、各映像データ部の直前に、各々が１０ビット構成とされる４ワード（３ＦＦ（Ｃ），０００（Ｃ），０００（Ｃ），ＸＹＺ（Ｃ）；３ＦＦ，０００及びＸＹＺは１６進表現であり、（Ｃ）はＰB ／ＰR データ系列中のワードであることをあらわす。）から成るタイミング基準コードデータ：ＳＡＶが配されるとともに、各映像データ部の直後に、各々が１０ビット構成とされる４ワード（３ＦＦ（Ｃ），０００（Ｃ），０００（Ｃ），ＸＹＺ（Ｃ））から成るタイミング基準コードデータ：ＥＡＶが配される。勿論、Ｙデータ系列中のタイミング基準コードデータ：ＥＡＶ及びＳＡＶの夫々は、Ｙデータ系列における各ラインブランキング部に配され、また、ＰB ／ＰR データ系列中のタイミング基準コードデータ：ＥＡＶ及びＳＡＶの夫々は、ＰB ／ＰR データ系列における各ラインブランキング部に配される。
【０００５】
ここでは（Ｙ）もしくは（Ｃ）が付されて示される４ワード（３ＦＦ，０００，０００，ＸＹＺ）にあっては、始めの３ワード（３ＦＦ，０００，０００）が、ワード同期あるいはライン同期を確立するためのものであり、また、最後の１ワード（ＸＹＺ）が、同一フレームにおける第１フィールドと第２フィールドとの識別のため、あるいは、タイミング基準コードデータ：ＳＡＶとタイミング基準コードデータ：ＥＡＶとの識別のためのものである（以下において同様）。
【０００６】
また、Ｇ，Ｂ，Ｒ形式のＨＤディジタル映像信号も、フレームレートが３０Ｈｚとされたもとでの飛び越し走査用の信号とされ、例えば、図４０に示される如くのデータフォーマットに従うものとされる。図４０に示されるデータフォーマットは、図４０のＡに示される如くの、映像信号における緑色原色信号情報をあらわす緑色原色信号データ系列（Ｇデータ系列）と、図４０のＢに示される如くの、映像信号における青色原色信号情報をあらわす青色原色信号データ系列（Ｂデータ系列）と、図４０のＣに示される如くの、映像信号における赤色原色信号情報をあらわす赤色原色信号データ系列（Ｒデータ系列）とから成り、Ｇデータ系列，Ｂデータ系列及びＲデータ系列の夫々は、量子化ビット数を１０ビットとし、従って、それを形成するワードデータ４の各々は、１０ビット構成とされ、また、そのワード伝送レートは、例えば、７４．２５ＭＢｐｓとされる。そして、図４０のＡ，Ｂ及びＣには、夫々、Ｇデータ系列，Ｂデータ系列及びＲデータ系列における各ライン部中のラインブランキング部及びその前後における映像データ部の一部分が示されている。
【０００７】
Ｇデータ系列，Ｂデータ系列及びＲデータ系列の夫々にあっては、各映像データ部の直前に、各々が１０ビット構成とされる４ワード（３ＦＦ（Ｇ），０００（Ｇ），０００（Ｇ）及びＸＹＺ（Ｇ）（（Ｇ）はＧデータ系列中のワードであることをあらわす。），３ＦＦ（Ｂ），０００（Ｂ），０００（Ｂ）及びＸＹＺ（Ｂ）（（Ｂ）はＢデータ系列中のワードであることをあらわす。）、もしくは、３ＦＦ（Ｒ），０００（Ｒ），０００（Ｒ）及びＸＹＺ（Ｒ）（（Ｒ）はＲデータ系列中のワードであることをあらわす。））から成るタイミング基準コードデータ：ＳＡＶが配されるとともに、各映像データ部の直後に、各々が１０ビット構成とされる４ワード（３ＦＦ（Ｇ），０００（Ｇ），０００（Ｇ）及びＸＹＺ（Ｇ），３ＦＦ（Ｂ），０００（Ｂ），０００（Ｂ）及びＸＹＺ（Ｂ）、もしくは、３ＦＦ（Ｒ），０００（Ｒ），０００（Ｒ）及びＸＹＺ（Ｒ））から成るタイミング基準コードデータ：ＥＡＶが配される。勿論、Ｇデータ系列，Ｂデータ系列及びＲデータ系列の夫々におけるタイミング基準コードデータ：ＥＡＶ及びＳＡＶの各々は、Ｇデータ系列，Ｂデータ系列及びＲデータ系列の夫々における各ラインブランキング部に配される。
【０００８】
現行のＨＤＴＶシステムにあっては、上述の如くのフレームレートが３０Ｈｚとされたもとでの飛び越し走査用とされたＹ，ＰB ／ＰR 形式もしくはＧ，Ｂ，Ｒ形式のＨＤディジタル映像信号が用いられているが、これに対して、次世代のＨＤＴＶシステムとして、フレームレートが６０Ｈｚあるいは６０／１．００１Ｈｚ（本願においてはこれらのいずれをも６０Ｈｚという。）とされたもとで、各フレーム画像が第１及び第２フィールドに分けられることなく形成される順次走査用とされた、Ｙ，ＰB ／ＰR 形式もしくはＧ，Ｂ，Ｒ形式のＨＤディジタル映像信号を用いるシステムが提案されている。順次走査用とされた、Ｙ，ＰB ／ＰR 形式もしくはＧ，Ｂ，Ｒ形式のＨＤディジタル映像信号は、プログレッシブ（Progressive)方式のＨＤディジタル映像信号と称される。
【０００９】
フレームレートが６０Ｈｚとされたプログレッシブ方式のＨＤディジタル映像信号を成すディジタルデータは、米国のＳＭＰＴＥ(Society of Motion Picture and Television Engineers:映画及びテレビジョン技術者協会）により制定された規格:SMPTE 274M によるフォーマットの規格化が図られている。斯かる SMPTE 274M により規格化されたフォーマットにあっては、フレームレート: ６０Ｈｚの他、フレームあたり有効ライン数：１０８０ライン，ラインあたりの有効データサンプル数：１９２０サンプル，サンプリング周波数：１４８．５ＭＨｚあるいは１４８．５／１．００１ＭＨｚ（本願においてはこれらのいずれをも１４８．５ＭＨｚという。），量子化ビット数：８ビットもしくは１０ビット等々が決められている。そして、パラレルデータインターフェースは、Ｙ，ＰB ／ＰR 形式の場合、８ビット×２＝１６ビットもしくは１０ビット×２＝２０ビットであり、Ｇ，Ｂ，Ｒ形式の場合、８ビット×３＝２４ビットもしくは１０ビット×３＝３０ビットである。
【００１０】
このような量子化ビット数が８ビットもしくは１０ビットとされたディジタル映像信号を成すディジタルデータにあっては、映像信号情報をあらわすためには用いられないコードが禁止コードとして決められている。例えば、量子化ビット数が８ビットである場合、禁止コードは、１６進表現で００ｈ及びＦＦｈ（添字ｈは１６進数であることをあらわす）、即ち、0000 0000 及び 1111 1111とされ、また、量子化ビット数が１０ビットである場合、禁止コードは、１６進表現で０００ｈ〜００３ｈ及び３ＦＣｈ〜３ＦＦｈ、即ち、 00 0000 0000 〜 00 0000 0011 及び 11 1111 1100 〜 11 1111 1111 とされる。
【００１１】
なお、Ｙ，ＰB ／ＰR 形式の場合、ＰB データ系列及びＰR データ系列の夫々のサンプリング周波数が、Ｙデータ系列のサンプリング周波数の１／２とされる。以下おいては、必要に応じて、Ｙ，ＰB ／ＰR 形式を４：２：２形式とあらわす。また、Ｇ，Ｂ，Ｒ形式の場合、Ｇデータ系列，Ｂデータ系列及びＲデータ系列の夫々のサンプリング周波数が同一とされる。以下おいては、必要に応じて、Ｇ，Ｂ，Ｒ形式を４：４：４形式とあらわす。
【００１２】
また、こうしたＨＤディジタル映像信号とは別に、例えば、秒あたり２４コマ（２４コマ／秒）のフィルムを通じて映写される映画の動画像をＨＤＴＶシステムによる画像と同等の画質をもって実現するための、プログレッシブ方式のディジタル映像信号が提案されている。以下、このようなディジタル映像信号を、Ｄ−Ｃｉｎｅｍａ信号と呼ぶ。
【００１３】
Ｄ−Ｃｉｎｅｍａ信号は、例えば、フレームレートを２４Ｈｚあるいは２４／１．００１Ｈｚ（本願においてはこれらのいずれをも２４Ｈｚという。）とするプログレッシブ方式のディジタル映像信号と言うことができるが、Ｄ−Ｃｉｎｅｍａ信号のフレームレートは、２４Ｈｚに限られるものではなく、２５Ｈｚ，３０Ｈｚ等も考えられる。フレームレートを２４Ｈｚ，２５Ｈｚ及び３０Ｈｚとするディジタル映像信号を成すディジタルデータについては、そのフォーマットが SMPTE 274M により規格化されており、フレームレート: ２４Ｈｚ，２５Ｈｚ，３０Ｈｚの他、フレームあたりの有効ライン数：１０８０ライン，ラインあたりの有効データサンプル数：１９２０サンプル，サンプリング周波数：７４．２５ＭＨｚあるいは７４．２５／１．００１ＭＨｚ（本願においてはこれらのいずれをも７４．２５ＭＨｚという。），量子化ビット数：８ビットもしくは１０ビット等々が決められている。そして、パラレルデータインターフェースは、４：２：２形式の場合、８ビット×２＝１６ビットもしくは１０ビット×２＝２０ビットであり、４：４：４形式の場合、８ビット×３＝２４ビットもしくは１０ビット×３＝３０ビットである。
【００１４】
こうした状況の中で、Ｄ−Ｃｉｎｅｍａ信号を形成するディジタルデータについて、例えば、それに基づいて再生される画像の解像度の更なる向上を求めて、量子化ビット数を、従前の８ビットもしくは１０ビットを越えるビット数、例えば、１２ビット，１４ビット，１６ビット等とすることが望まれるようになってきている。さらに、同様の目的から、フレームあたりの有効ライン数及びラインあたりの有効データサンプル数についても、上述の如くに、夫々、１０８０ライン及び１９２０サンプルに限られるのではなく、それら以上、例えば、１０８０ラインの２倍及び１９２０サンプルの２倍とすることが望まれている。
【００１５】
フレームあたりの有効ライン数を、例えば、１０８０ラインの２倍、即ち、２１６０ラインとし、ラインあたりの有効データサンプル数を、例えば、１９２０サンプルの２倍、即ち、３８４０サンプルとするＤ−Ｃｉｎｅｍａ信号は、通称、２ｋ×４ｋ信号と呼ばれている。斯かる２ｋ×４ｋ信号は、量子化ビット数を、例えば、１０ビット，１２ビット，１４ビットもしくは１６ビットとするものとされ、また、そのフレームあたりの有効ライン数及びラインあたりの有効データサンプル数については、２１６０ラインと３８４０サンプルとの組合せのみが考えられているのではなく、例えば、２０４８ラインと４０９６サンプルとの組合せ、２１６０ラインと３５８６サンプルとの組合せ，２０４８ラインと３４００サンプルとの組合せ，２１６０ラインと３８４０サンプルとの組合せ，２０４８ラインと３６４０サンプルとの組合せ，２０７５ラインと３８４０サンプルとの組合せ，２０４８ラインと３７８９サンプルとの組合せ，１６００ラインと３８４０サンプルとの組合せ，１７０６ラインと４０９６サンプルとの組合せ等々が考えられている。
【００１６】
これよりして、２ｋ×４ｋ信号は、例えば、フレームあたりの有効ライン数が１６００以上で２２５０以下の数値に設定されるともに、ラインあたりの有効データサンプル数が３４００以上で４４００以下の数値に設定されることになる。
【００１８】
【発明が解決しようとする課題】
しかしながら、２ｋ×４ｋ信号の如くディジタル映像信号を成すディジタルデータにあっては、その伝送に伴う問題がある。即ち、ディジタル映像信号を成すディジタルデータの伝送にあたっては、シリアルデータに変換されて伝送されるシリアル伝送が望まれることになるが、量子化ビット数を８ビットもしくは１０ビットする４：２：２形式のディジタル映像信号を成すディジタルデータについて、前述のＢＴＡによって制定された規格であるBTA S-004 による HD SDI (High Defi- nition Serial Digital Interface)を用いて伝送することが規格化されているだけで、他の形式のディジタルデータ、例えば、２ｋ×４ｋ信号を成すディジタルデータについては、規格化されていない。そして、現在のところ、２ｋ×４ｋ信号を成すディジタルデータのシリアル伝送を、ディジタル映像信号を成すディジタルデータについての、例えば、規格BTA S-004 による HD SDI に従ったシリアル伝送に用いられる現存する回路構成要素を利用して、適切に実現することができる伝送システムの具体例は見当たらない。また、このようなシリアル伝送システムに関する技術について記載された文献等も見出せない。
【００１９】
斯かる点に鑑み、本願の特許請求の範囲に記載された発明は、量子化ビット数を、１０ビット，１２ビット，１４ビットもしくは１６ビットとし、フレームあたりの有効ライン数が１６００以上で２２５０以下の数値に設定されるともに、ラインあたりの有効データサンプル数が３４００以上で４４００以下の数値に設定される２ｋ×４ｋ信号等のディジタル映像信号を成すディジタルデータについてのシリアル伝送を、例えば、HD SDIに従ったシリアル伝送に用いられる現存する回路構成要素を利用して、適切に実現することができるデータ伝送方法及びその実施に供されるデータ伝送装置を提供する。
【００２１】
【課題を解決するための手段】
本願の特許請求の範囲における請求項１から請求項６までのいずれかに記載された発明に係るデータ伝送方法は、フレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が３４００以上で４４００以下の数値に設定され、量子化ビット数を１０ビットとし、各有効ライン部についての映像信号情報をあらわすためには用いられない禁止コードが、上位８ビットを１６進表現で００ｈもしくはＦＦｈとする全ての１０ビットコードとされたディジタル映像信号を成し、各々が１０ビットワード列データとされたＧデータ系列とＢデータ系列とＲデータ系列との並列配置をもって形成された３０ビットパラレルデータに、各ライン部における有効データサンプルを１サンプルずつ順次振り分けることにより、各々がフレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が１７００以上で２２００以下の数値に設定されたディジタル映像信号を成す、第１及び第２の分割ディジタルデータを形成し、第１及び第２の分割ディジタルデータの夫々について、第１の一つ置きのライン部及び第２の一つ置きのライン部を夫々第１及び第２のメモリに格納し、第１のメモリに格納されたライン部及び第２のメモリに格納されたライン部の夫々を、フレームレートを２４Ｈｚ，２５Ｈｚもしくは３０Ｈｚとするセグメンテッドフレームディジタル映像信号を成すＧデータ系列，Ｂデータ系列及びＲデータ系列を含む３０ビットパラレルデータを形成するものとして読み出して、ワード伝送レートを７４．２５ＭＢｐｓとする３０ビットワード列データを得る処理を行うことにより、各々がワード伝送レートを７４．２５ＭＢｐｓとする第１から第４までの３０ビットワード列データを得、第１から第４までの３０ビットワード列データの夫々について、Ｇデータ系列，Ｂデータ系列及びＲデータ系列の夫々を形成する１０ビットワードを、Ｇデータ系列を形成する１０ビットワードとＢデータ系列及びＲデータ系列の夫々を形成する１０ビットワードの一部とを含む第１のワードグループと、補助データ系列を形成する１０ビットワードとＢデータ系列及びＲデータ系列の夫々を形成する１０ビットワードの他の一部とを含む第２のワードグループとに振り分け、第１及び第２のワードグループの夫々に基づくワード伝送レートを７４．２５ＭＢｐｓとする２０ビットワード列データを得る処理を行うことにより、各々がワード伝送レートを７４．２５ＭＢｐｓとする第１から第８までの２０ビットワード列データを形成するデータ処理を施し、第１から第８までの２０ビットワード列データに夫々基づく第１から第８までのシリアルデータを得て、それらを伝送すべく送出するものとされる。
【００２２】
本願の特許請求の範囲における請求項７から請求項１２までのいずれかに記載された発明に係るデータ伝送方法は、フレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が３４００以上で４４００以下の数値に設定され、量子化ビット数を１２ビット，１４ビットもしくは１６ビットとし、量子化ビット数を１２ビットとするとき、各有効ライン部についての映像信号情報をあらわすためには用いられない禁止コードが、上位８ビットが１６進表現で００ｈもしくはＦＦｈとなる全ての１２ビットコードとされ、量子化ビット数を１４ビットとするとき、各有効ライン部についての映像信号情報をあらわすためには用いられない禁止コードが、上位８ビットが１６進表現で００ｈもしくはＦＦｈとなる全ての１４ビットコードとされ、量子化ビット数を１６ビットとするとき、各有効ライン部についての映像信号情報をあらわすためには用いられない禁止コードが、上位８ビットが１６進表現で００ｈもしくはＦＦｈとなる全ての１６ビットコードとされるディジタル映像信号を成し、各々が１２ビット，１４ビットもしくは１６ビットワード列データとされたＹデータ系列とＰB ／ＰR データ系列との並列配置をもって形成された２４ビット，２８ビットもしくは３２ビットパラレルデータに、各ライン部における有効データサンプルを１サンプルもしくは２サンプルずつ順次振り分けることにより、各々がフレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が１７００以上で２２００以下の数値に設定されたディジタル映像信号を成す、第１及び第２の分割ディジタルデータを形成し、第１及び第２の分割ディジタルデータの夫々について、第１の一つ置きのライン部及び第２の一つ置きのライン部を夫々第１及び第２のメモリに格納し、上記第１のメモリに格納されたライン部及び上記第２のメモリに格納されたライン部の夫々を、フレームレートを２４Ｈｚ，２５Ｈｚもしくは３０Ｈｚとするセグメンテッドフレームディジタル映像信号を成す２４ビット，２８ビットもしくは３２ビットパラレルデータを形成するものとして読み出し、ワード伝送レートを７４．２５ＭＢｐｓとする２４ビット，２８ビットもしくは３２ビットワード列データを得る処理を行うことにより、各々がワード伝送レートを７４．２５ＭＢｐｓとする第１から第４までの２４ビット，２８ビットもしくは３２ビットワード列データを得、第１から第４までの２４ビット，２８ビットもしくは３２ビットワード列データの夫々について、Ｙデータ系列及びＰB ／ＰR データ系列の夫々を形成する各１２ビット，１４ビットもしくは１６ビットワードを、上位１０ビットと下位２ビット，４ビットもしくは６ビットとに分割し、分割された複数の上位１０ビットに基づく、ワード伝送レートを７４．２５ＭＢｐｓとする２０ビットワード列と、分割された複数の下位２ビット，４ビットもしくは６ビットと補助ビットとに基づく、ワード伝送レートを７４．２５Ｍ���ｐｓとする２０ビットワード列データとを得る処理を行うことにより、各々がワード伝送レートを７４．２５ＭＢｐｓとする第１から第８までの２０ビットワード列データを形成するデータ処理を施し、第１から第８までの２０ビットワード列データに夫々基づく第１から第８までのシリアルデータを得て、それらを伝送すべく送出するものとされる。
【００２３】
本願の特許請求の範囲における請求項１３から請求項１８までのいずれかに記載された発明に係るデータ伝送方法は、フレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が３４００以上で４４００以下の数値に設定され、量子化ビット数を１２ビットとし、各有効ライン部についての映像信号情報をあらわすためには用いられない禁止コードが、上位８ビットが１６進表現で００ｈもしくはＦＦｈとなる全ての１２ビットコードとされるディジタル映像信号を成し、各々が１２ビットワード列データとされたＧデータ系列とＢデータ系列とＲデータ系列との並列配置をもって形成された３６ビットパラレルデータに、各ライン部における有効データサンプルを１サンプルずつ順次振り分けることにより、各々がフレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が１７００以上で２２００以下の数値に設定されたディジタル映像信号を成す、第１及び第２の分割ディジタルデータを形成し、第１及び第２の分割ディジタルデータの夫々について、第１の一つ置きのライン部及び第２の一つ置きのライン部を夫々第１及び第２のメモリに格納し、第１のメモリに格納されたライン部及び第２のメモリに格納されたライン部の夫々を、フレームレートを２４Ｈｚ，２５Ｈｚもしくは３０Ｈｚとするセグメンテッドフレームディジタル映像信号を成すＧデータ系列，Ｂデータ系列及びＲデータ系列を含む３６ビットパラレルデータを形成するものとして読み出して、ワード伝送レートを７４．２５ＭＢｐｓとする３６ビットワード列データを得る処理を行うことにより、各々がワード伝送レートを７４．２５ＭＢｐｓとする第１から第４までの３６ビットワード列データを得、第１から第４までの３６ビットワード列データの夫々について、Ｇデータ系列，Ｂデータ系列及びＲデータ系列の夫々を形成する各１２ビットワードを、上位１０ビットと下位２ビットとに分割し、Ｇデータ系列から分割された複数の上位１０ビットとＢデータ系列及びＲデータ系列の夫々から分割された複数の上位１０ビットの一部とに基づく、ワード伝送レートを７４．２５ＭＢｐｓとする２０ビットワード列と、Ｂデータ系列及びＲデータ系列の夫々から分割された複数の上位１０ビットの他の一部と、Ｇデータ系列，Ｂデータ系列及びＲデータ系列から分割された複数の下位２ビットと補助ビットとに基づく、ワード伝送レートを７４．２５ＭＢｐｓとする２０ビットワード列データとを得る処理を行うことにより、各々がワード伝送レートを７４．２５ＭＢｐｓとする第１から第８までの２０ビットワード列データを形成するデータ処理を施し、第１から第８までの２０ビットワード列データに夫々基づく第１から第８までのシリアルデータを得て、それらを伝送すべく送出するものとされる。
【００２４】
本願の特許請求の範囲における請求項１９に記載された発明に係るデータ伝送装置は、フレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が３４００以上で４４００以下の数値に設定され、量子化ビット数を１０ビットとし、各有効ライン部についての映像信号情報をあらわすためには用いられない禁止コードが、上位８ビットを１６進表現で００ｈもしくはＦＦｈとする全ての１０ビットコードとされたディジタル映像信号を成し、各々が１０ビットワード列データとされたＧデータ系列とＢデータ系列とＲデータ系列との並列配置をもって形成された３０ビットパラレルデータに、各ライン部における有効データサンプルを１サンプルずつ順次振り分けることにより、各々がフレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が１７００以上で２２００以下の数値に設定されたディジタル映像信号を成す、第１及び第２の分割ディジタルデータを形成し、第１及び第２の分割ディジタルデータの夫々について、第１の一つ置きのライン部及び第２の一つ置きのライン部を夫々第１及び第２のメモリに格納し、第１のメモリに格納されたライン部及び第２のメモリに格納されたライン部の夫々を、フレームレートを２４Ｈｚ，２５Ｈｚもしくは３０Ｈｚとするセグメンテッドフレームディジタル映像信号を成すＧデータ系列，Ｂデータ系列及びＲデータ系列を含む３０ビットパラレルデータを形成するものとして読み出して、ワード伝送レートを７４．２５ＭＢｐｓとする３０ビットワード列データを得る処理を行うことにより、各々がワード伝送レートを７４．２５ＭＢｐｓとする第１から第４までの３０ビットワード列データを得、第１から第４までの３０ビットワード列データの夫々について、Ｇデータ系列，Ｂデータ系列及びＲデータ系列の夫々を形成する１０ビットワードを、Ｇデータ系列を形成する１０ビットワードとＢデータ系列及びＲデータ系列の夫々を形成する１０ビットワードの一部とを含む第１のワードグループと、補助データ系列を形成する１０ビットワードとＢデータ系列及びＲデータ系列の夫々を形成する１０ビットワードの他の一部とを含む第２のワードグループとに振り分け、第１及び第２のワードグループの夫々に基づくワード伝送レートを７４．２５ＭＢｐｓとする２０ビットワード列データを得る処理を行うことにより、各々がワード伝送レートを７４．２５ＭＢｐｓとする第１から第８までの２０ビットワード列データを形成するデータ処理を施すデータ処理部と、第１から第８までの２０ビットワード列データに夫々基づく第１から第８までのシリアルデータを得る第１から第８までのパラレル／シリアル変換部と、第１から第８までのパラレル／シリアル変換部から夫々得られる第１から第８までのシリアルデータを伝送すべく送出する第１から第８までのデータ送出部と、を備えて構成される。
【００２５】
本願の特許請求の範囲における請求項２０に記載された発明に係るデータ伝送装置は、フレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が３４００以上で４４００以下の数値に設定され、量子化ビット数を１２ビット，１４ビットもしくは１６ビットとし、量子化ビット数を１２ビットとするとき、各有効ライン部についての映像信号情報をあらわすためには用いられない禁止コードが、上位８ビットが１６進表現で００ｈもしくはＦＦｈとなる全ての１２ビットコードとされ、量子化ビット数を１４ビットとするとき、各有効ライン部についての映像信号情報をあらわすためには用いられない禁止コードが、上位８ビットが１６進表現で００ｈもしくはＦＦｈとなる全ての１４ビットコードとされ、量子化ビット数を１６ビットとするとき、各有効ライン部についての映像信号情報をあらわすためには用いられない禁止コードが、上位８ビットが１６進表現で００ｈもしくはＦＦｈとなる全ての１６ビットコードとされるディジタル映像信号を成し、各々が１２ビット，１４ビットもしくは１６ビットワード列データとされたＹデータ系列とＰB ／ＰR データ系列との並列配置をもって形成された２４ビット，２８ビットもしくは３２ビットパラレルデータに、各ライン部における有効データサンプルを１サンプルもしくは２サンプルずつ順次振り分けることにより、各々がフレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が１７００以上で２２００以下の数値に設定されたディジタル映像信号を成す、第１及び第２の分割ディジタルデータを形成し、第１及び第２の分割ディジタルデータの夫々について、第１の一つ置きのライン部及び第２の一つ置きのライン部を夫々第１及び第２のメモリに格納し、第１のメモリに格納されたライン部及び第２のメモリに格納されたライン部の夫々を、フレームレートを２４Ｈｚ，２５Ｈｚもしくは３０Ｈｚとするセグメンテッドフレームディジタル映像信号を成す２４ビット，２８ビットもしくは３２ビットパラレルデータを形成するものとして読み出し、ワード伝送レートを７４．２５ＭＢｐｓとする２４ビット，２８ビットもしくは３２ビットワード列データを得る処理を行うことにより、各々がワード伝送レートを７４．２５ＭＢｐｓとする第１から第４までの２４ビット，２８ビットもしくは３２ビットワード列データを得、第１から第４までの２４ビット，２８ビットもしくは３２ビットワード列データの夫々について、Ｙデータ系列及びＰB ／ＰR データ系列の夫々を形成する各１２ビット，１４ビットもしくは１６ビットワードを、上位１０ビットと下位２ビット，４ビットもしくは６ビットとに分割し、分割された複数の上位１０ビットに基づく、ワード伝送レートを７４．２５ＭＢｐｓとする２０ビットワード列と、分割された複数の下位２ビット，４ビットもしくは６ビットと補助ビットとに基づく、ワード伝送レートを７４．２５ＭＢｐｓとする２０ビットワード列デー���とを得る処理を行うことにより、各々がワード伝送レートを７４．２５ＭＢｐｓとする第１から第８までの２０ビットワード列データを形成するデータ処理を施すデータ処理部と、第１から第８までの２０ビットワード列データに夫々基づく第１から第８までのシリアルデータを得る第１から第８までのパラレル／シリアル変換部と、第１から第８までのパラレル／シリアル変換部から夫々得られる第１から第８までのシリアルデータを伝送すべく送出する第１から第８までのデータ送出部と、を備えて構成される。
【００２６】
さらに、本願の特許請求の範囲における請求項２１に記載された発明に係るデータ伝送装置は、フレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が３４００以上で４４００以下の数値に設定され、量子化ビット数を１２ビットとし、各有効ライン部についての映像信号情報をあらわすためには用いられない禁止コードが、上位８ビットが１６進表現で００ｈもしくはＦＦｈとなる全ての１２ビットコードとされるディジタル映像信号を成し、各々が１２ビットワード列データとされたＧデータ系列とＢデータ系列とＲデータ系列との並列配置をもって形成された３６ビットパラレルデータに、各ライン部における有効データサンプルを１サンプルずつ順次振り分けることにより、各々がフレームレートを２４Ｈｚ，２５Ｈｚもしくは３０Ｈｚとし、各フレームにおける有効ライン数が１６００以上で２２５０以下の数値に設定されるとともに、各ラインにおける有効データサンプル数が１７００以上で２２００以下の数値に設定されたディジタル映像信号を成す、第１及び第２の分割ディジタルデータを形成し、第１及び第２の分割ディジタルデータの夫々について、第１の一つ置きのライン部及び第２の一つ置きのライン部を夫々第１及び第２のメモリに格納し、第１のメモリに格納されたライン部及び第２のメモリに格納されたライン部の夫々を、フレームレートを２４Ｈｚ，２５Ｈｚもしくは３０Ｈｚとするセグメンテッドフレームディジタル映像信号を成すＧデータ系列，Ｂデータ系列及びＲデータ系列を含む３６ビットパラレルデータを形成するものとして読み出して、ワード伝送レートを７４．２５ＭＢｐｓとする３６ビットワード列データを得る処理を行うことにより、各々がワード伝送レートを７４．２５ＭＢｐｓとする第１から第４までの３６ビットワード列データを得、第１から第４までの３６ビットワード列データの夫々について、Ｇデータ系列，Ｂデータ系列及びＲデータ系列の夫々を形成する各１２ビットワードを、上位１０ビットと下位２ビットとに分割し、Ｇデータ系列から分割された複数の上位１０ビットとＢデータ系列及びＲデータ系列の夫々から分割された複数の上位１０ビットの一部とに基づく、ワード伝送レートを７４．２５ＭＢｐｓとする２０ビットワード列と、Ｂデータ系列及びＲデータ系列の夫々から分割された複数の上位１０ビットの他の一部と、Ｇデータ系列，Ｂデータ系列及びＲデータ系列から分割された複数の下位２ビットと補助ビットとに基づく、ワード伝送レートを７４．２５ＭＢｐｓとする２０ビットワード列データとを得る処理を行うことにより、各々がワード伝送レートを７４．２５ＭＢｐｓとする第１から第８までの２０ビットワード列データを形成するデータ処理を施すデータ処理部と、第１から第８までの２０ビットワード列データに夫々基づく第１から第８までのシリアルデータを得る第１から第８までのパラレル／シリアル変換部と、第１から第８までのパラレル／シリアル変換部から夫々得られる第１から第８までのシリアルデータを伝送すべく送出する第１から第８までのデータ送出部と、を備えて構成される。
【００２８】
上述の如くの本願の特許請求の範囲における請求項１から請求項１８までのいずれかに記載された発明に係るデータ伝送方法、あるいは、請求項１９から請求項２１までのいずれかに記載された発明に係るデータ伝送装置にあっては、量子化ビット数を、１０ビット，１２ビット，１４ビットもしくは１６ビットとし、フレームあたりの有効ライン数が１６００以上で２２５０以下の数値に設定されるともに、ラインあたりの有効データサンプル数が３４００以上で４４００以下の数値に設定されるディジタル映像信号を成すディジタルデータを、各々が従前の量子化ビット数を８ビットもしくは１０ビットとするＨＤディジタル映像信号を成すディジタルデータとの互換性がとれていることになる複数のワード列データに分割し、さらに、斯かる複数のワード列データの夫々をシリアルデータに変換したうえで伝送することになる。従って、本願の特許請求の範囲における請求項１から請求項１８までのいずれかに記載された発明に係るデータ伝送方法、あるいは、請求項１９から請求項２１までのいずれかに記載された発明に係るデータ伝送装置によれば、量子化ビット数を、１０ビット，１２ビット，１４ビットもしくは１６ビットとし、フレームあたりの有効ライン数が１６００以上で２２５０以下の数値に設定されるとともに、ラインあたりの有効データサンプル数が３４００以上で４４００以下の数値に設定される２ｋ×４ｋ信号等のディジタル映像信号を成すディジタルデータのシリアル伝送を、例えば、HD SDIに従ったシリアル伝送に用いられる現存する回路構成要素を利用して、適切に行うことができる。
【００２９】
【発明の実施の形態】
図１は、本願の特許請求の範囲における請求項７から請求項１２までのいずれかに記載された発明に係るデータ伝送方法の例が実施される、本願の特許請求の範囲における請求項２０に記載された発明に係るデータ伝送装置の例において扱われるディジタル映像信号を成すディジタルデータの一例のデータフォーマットを示す。
【００３０】
図１に示されるデータフォーマットを有するディジタルデータが得られるデータ形成方法は、各フレーム部における有効ライン部数が、１６００以上で２２５０以下の数値２ｋ＝ｎ2 −ｎ1 、例えば、２１６０に設定されるとともに、各ライン部における有効データサンプル数が、３４００以上で４４００以下の数値４ｋ、例えば、３８４０に設定され、量子化ビット数を１０ビット，１２ビット，１４ビットもしくは１６ビットとする４：２：２形式のディジタル映像信号である２ｋ×４ｋ信号を成すディジタルデータを形成する。斯かるディジタルデータは、４：２：２形式のディジタル映像信号を成すものであるので、量子化ビット数を１０ビット，１２ビット，１４ビットもしくは１６ビットとするＹデータ系列と量子化ビット数を１０ビット，１２ビット，１４ビットもしくは１６ビットとするＰB ／ＰR データ系列とから成るものとされる。
【００３１】
そして、上述の図１に示されるデータフォーマットを有するディジタルデータが得られるデータ形成方法にあっては、Ｙデータ系列とＰB ／ＰR データ系列とについて、フレーム部を１／２４秒，１／２５秒もしくは１／３０秒毎に連なるものとして設定するとともに、その各フレーム部をライン部Ｌ0001からライン部Ｌｎ3 までのｎ3 ライン部の連なりをもって形成する。また、各フレーム部における有効ライン部をライン部Ｌｎ1+1 からライン部Ｌn2までとし、各フレーム部における有効ライン部数を２ｋ＝ｎ2 −ｎ1 、例えば、２１６０（２ｋライン部）に設定する。さらに、各ライン部における有効データサンプル数を４ｋ、例えば、３８４０（４ｋサンプル）に設定する。そして、量子化ビット数を１０ビット，１２ビット，１４ビットもしくは１６ビットに選定する。
【００３２】
斯かるもとで、各フレーム部におけるライン部Ｌ0001からライン部Ｌｎ3 までの夫々は、量子化ビット数を１０ビット，１２ビット，１４ビットもしくは１６ビットとするＹデータ系列のライン部と量子化ビット数を１０ビット，１２ビット，１４ビットもしくは１６ビットとするＰB ／ＰR データ系列のライン部とを含むことになるが、特に、有効ライン部を形成するライン部Ｌｎ1+1 からライン部Ｌｎ2 までの夫々については、それらのうちの一つであるライン部Ｌｎ1+1 における状態が図１に例示されている如くに、それを形成する量子化ビット数を１０ビット，１２ビット，１４ビットもしくは１６ビットとするＹデータ系列のライン部及び量子化ビット数を１０ビット，１２ビット，１４ビットもしくは１６ビットとするＰB ／ＰR データ系列のライン部の夫々を、ラインブランキング部と映像データ部とを含むものとして形成する。
【００３３】
そして、各ラインブランキング部を、その始端部分にタイミング基準コード：ＥＡＶが配されるとともに、その終端部分にタイミング基準コード：ＳＡＶが配されるものとして構成する。一方、映像データ部については、Ｙデータ系列における映像データ部を有効データサンプル数を４ｋとする輝度信号情報をあらわすデータＹＤを配して構成し、また、ＰB ／ＰR データ系列における映像データ部を有効データサンプル数を４ｋとする色差信号情報をあらわすデータＰｂＤ／ＰｒＤを配して構成する。
【００３４】
さらに、各フレーム部における有効ライン部を形成するライン部Ｌｎ1+1 からライン部Ｌｎ2 までの夫々を形成する、Ｙデータ系列のライン部及びＰB ／ＰR データ系列のライン部の夫々における映像データ部を、輝度信号情報をあらわすデータＹＤもしくは色差信号情報をあらわすデータＰｂＤ／ＰｒＤを配して構成するにあたり、上位８ビットが１６進表現で００ｈもしくはＦＦｈとなる全ての１０ビットコード，１２ビットコード，１４ビットコードもしくは１６ビットコードを、輝度信号情報をあらわすデータＹＤもしくは色差信号情報をあらわすデータＰｂＤ／ＰｒＤとしては用いない禁止コードとする。
【００３５】
このようにして定められる禁止コードは、図２に示される如く、量子化ビット数が１０ビットである場合、１６進表現で０００ｈ〜００３ｈ及び３ＦＣｈ〜３ＦＦｈ、即ち、 00 0000 0000 〜 00 0000 0011 及び 11 1111 1100 〜 11 1111 1111 とされ，量子化ビット数が１２ビットである場合、１６進表現で０００ｈ〜００Ｆｈ及びＦＦ０ｈ〜ＦＦＦｈ、即ち、 0000 0000 0000 〜 0000 0000 1111 及び 1111 1111 0000 〜 1111 1111 1111 とされ，量子化ビット数が１４ビットである場合、１６進表現で００００ｈ〜００３Ｆｈ及び３ＦＣ０ｈ〜ＦＦＦＦｈ、即ち、00 0000 0000 OOOO 〜 00 0000 0011 1111  及び  11 1111 1100 0000 〜 11 1111 1111 1111  とされ，量子化ビット数が１６ビットである場合、１６進表現で００００ｈ〜００ＦＦｈ及びＦＦ００ｈ〜ＦＦＦＦｈ、即ち、0000 0000 0000 OOOO 〜 0000 0000 1111 1111  及び  1111 1111 0000 0000 〜 1111 1111 1111 1111  とされる。
【００３６】
上述の如くにして、図１に示されるデータフォーマットを有するディジタルデータが得られるデータ形成方法により、フレームレートを２４Ｈｚ，２５Ｈｚもしくは３０Ｈｚとし、各フレームにおけるライン数がｎ3 ，各フレームにおける有効ライン数が２ｋ＝ｎ2 −ｎ1 ，各ラインにおける有効データサンプル数が４ｋに設定され、量子化ビット数を１０ビット，１２ビット，１４ビットもしくは１６ビットとし、量子化ビット数を１０ビットとするとき、各有効ライン部についての禁止コードが上位８ビットを１６進表現で００ｈもしくはＦＦｈとする全ての１０ビットコードとされ、量子化ビット数を１２ビットとするとき、各有効ライン部についての禁止コードが上位８ビットを１６進表現で００ｈもしくはＦＦｈとする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、もしくは、量子化ビット数を１６ビットとするとき、各有効ライン部についての禁止コードが上位８ビットを１６進表現で００ｈもしくはＦＦｈとする全ての１６ビットコードとされた、４：２：２形式のディジタル映像信号を成すディジタルデータが形成される。
【００３７】
図３は、本願の特許請求の範囲における請求項１から請求項６まで、あるいは、請求項１３から請求項１８までのいずれかに記載された発明に係るデータ伝送方法の例が実施される、本願の特許請求の範囲における請求項１９あるいは請求項２１に記載された発明に係るデータ伝送装置の例において扱われるディジタル映像信号を成すディジタルデータの一例のデータフォーマットを示す。
【００３８】
図３に示されるデータフォーマットを有するディジタルデータが得られるデータ形成方法は、量子化ビット数を１０ビットもしくは１２ビットとする４：４：４形式のディジタル映像信号を成すディジタルデータを形成する。斯かるディジタルデータは、４：４：４形式のディジタル映像信号を成すものであるので、量子化ビット数を１０ビットもしくは１２ビットとするＧデータ系列と、量子化ビット数を１０ビットもしくは１２ビットとするＢデータ系列と、量子化ビット数を１０ビットもしくは１２ビットとするＲデータ系列とから成るものとされる。
【００３９】
そして、上述の図３に示されるデータフォーマットを有するディジタルデータが得られるデータ形成方法にあっては、Ｇデータ系列，Ｂデータ系列及びＲデータ系列について、フレーム部を１／２４秒，１／２５秒もしくは１／３０秒毎に連なるものとして設定するとともに、その各フレーム部をライン部Ｌ０００１からライン部Ｌｎ3 までのｎ3 ライン部の連なりをもって形成する。また、各フレーム部における有効ライン部をライン部Ｌｎ1+1 からライン部Ｌｎ2 までとし、各フレーム部における有効ライン部数を２ｋ＝ｎ2 −ｎ1 に設定する。さらに、各ライン部における有効データサンプル数を４ｋに設定する。そして、量子化ビット数を１０ビットもしくは１２ビットに選定する。
【００４０】
斯かるもとで、各フレーム部におけるライン部Ｌ0001からライン部Ｌｎ3 までの夫々は、量子化ビット数を１０ビットもしくは１２ビットとするＧデータ系列のライン部と、量子化ビット数を１０ビットもしくは１２ビットとするＢデータ系列のライン部と、量子化ビット数を１０ビットもしくは１２ビットするＲデータ系列のライン部とを含むことになるが、特に、有効ライン部を形成するライン部Ｌｎ1+１からライン部Ｌｎ2 までの夫々については、それらのうちの一つであるライン部Ｌｎ1+１における状態が図３に例示されている如くに、それを形成する量子化ビット数を１０ビットもしくは１２ビットとするＧデータ系列のライン部，量子化ビット数を１０ビットもしくは１２ビットとするＢデータ系列のライン部及び量子化ビット数を１０ビットもしくは１２ビットとするＲデータ系列のライン部の夫々を、ラインブランキング部と映像データ部とを含むものとして形成する。
【００４１】
そして、各ラインブランキング部を、その始端部分にタイミング基準コード：ＥＡＶが配されるとともに、その終端部分にタイミング基準コード：ＳＡＶが配されるものとして構成する。一方、映像データ部については、Ｇデータ系列における映像データ部を有効データサンプル数を４ｋとする緑色原色信号情報をあらわすデータＧＤを配して構成し、Ｂデータ系列における映像データ部を有効データサンプル数を４ｋとする青色原色信号情報をあらわすデータＢＤを配して構成し、Ｒデータ系列における映像データ部を有効データサンプル数を４ｋとする赤色原色信号情報をあらわすデータＲＤを配して構成する。
【００４２】
さらに、各フレーム部における有効ライン部を形成するライン部Ｌｎ1+1 からライン部Ｌｎ2 までの夫々を形成する、Ｇデータ系列のライン部，Ｂデータ系列のライン部及びＲデータ系列のライン部の夫々における映像データ部を緑色原色信号情報をあらわすデータＧＤ，青色原色信号情報をあらわすデータＢＤもしくは赤色原色信号情報をあらわすデータＲＤを配して構成するにあたり、上位８ビットが１６進表現で００ｈもしくはＦＦｈとなる全ての１０ビットコードもしくは１２ビットコードを、緑色原色信号情報をあらわすデータＧＤ，青色原色信号情報をあらわすデータＢＤ及び赤色原色信号情報をあらわすデータＲＤとしては用いない禁止コードとする。このようにして定められる禁止コードも、前述の図２に示される量子化ビット数が１０ビットもしくは１２ビットである場合のものとされる。
【００４３】
上述の如くにして、図３に示されるデータフォーマットを有するディジタルデータが得られるデータ形成方法により、フレームレートを２４Ｈｚ，２５Ｈｚもしくは３０Ｈｚとし、各フレームにおけるライン数がｎ3 ，各フレームにおける有効ライン数が２ｋ＝ｎ2 −ｎ1 ，各ラインにおける有効データサンプル数が４ｋに設定され、量子化ビット数を１０ビットもしくは１２ビットとし、各有効ライン部についての禁止コードが上位８ビットを１６進表現で００ｈもしくはＦＦｈとする全ての１０ビットもしくは１２ビットコードとされた、４：４：４形式のディジタル映像信号を成すディジタルデータが形成される。
【００４４】
上述のデータ形成方法によって得られるディジタルデータを整理してみると、図４に示される如くの、量子化ビット数を１０ビットとするディジタル映像信号を成すディジタルデータであるデータＤＡ１０〜ＤＦ１０，量子化ビット数を１２ビットとするディジタル映像信号を成すディジタルデータであるデータＤＡ１２〜ＤＦ１２，量子化ビット数を１４ビットとするディジタル映像信号を成すディジタルデータであるデータＤＡ１４〜ＤＣ１４、及び、量子化ビット数を１６ビットとするディジタル映像信号を成すディジタルデータであるデータＤＡ１６〜ＤＣ１６が得られる。
【００４５】
図５及び図６は、本願の特許請求の範囲における請求項１，請求項２，請求項７，請求項８，請求項１３及び請求項１４のいずれかに記載された発明に係るデータ伝送方法の例が実施される、本願の特許請求の範囲における請求項１９から請求項２１までのいずれかに記載された発明に係るデータ伝送装置の第１の例を含んだデータ送受装置を示す。
【００４６】
図５及び図６に示されるデータ送受装置においては、本願の特許請求の範囲における請求項１９から請求項２１までのいずれかに記載された発明に係るデータ伝送装置の第１の例を構成する送信側において、ディジタル映像信号を成すディジタルデータＤＶＸがデータ処理部２９１に供給される。
【００４７】
ディジタルデータＤＶＸは、図４において、ＤＡ１２，ＤＢ１２，ＤＣ１２，ＤＤ１０，ＤＥ１０，ＤＦ１０，ＤＤ１２，ＤＥ１２，ＤＦ１２，ＤＡ１４，ＤＢ１４，ＤＣ１４，ＤＡ１６，ＤＢ１６及びＤＣ１６として示されるデータのうちのいずれかである、フレームレートを２４Ｈｚ，２５Ｈｚもしくは３０Ｈｚとし、各フレーム部における有効ライン部数が、１６００以上で２２５０以下の数値２ｋ、例えば、２１６０に設定されるとともに、各ライン部における有効データサンプル数が、３４００以上で４４００以下の数値４ｋ、例えば、３８４０に設定され、量子化ビット数を１０ビット，１２ビット，１４ビットもしくは１６ビットとし、各有効ライン部についての禁止コードが上位８ビットを１６進表現で００ｈもしくはＦＦｈとする全ての１０ビットコード，１２ビットコード，１４ビットコードもしくは１６ビットコードとされた、４：２：２形式もしくは４：４：４形式のディジタル映像信号を成すディジタルデータとされる。
【００４８】
ディジタルデータＤＶＸが図４に示されるデータＤＡ１２である場合、データＤＡ１２は、図７のＡに示される如くに、フレームレートを２４Ｈｚとし、各フレーム部における有効ライン部数が２ｋに設定されるとともに各ライン部における有効データサンプル数が４ｋに設定された、一連のフレーム部 Frame 1, 2, 3, ・・・・・を有するディジタル映像信号を成す、１２ビットワード列データとされたＹデータ系列と１２ビットワード列データとされたＰB ／ＰR データ系列とが、フレーム同期及びライン同期がとられたもとでパラレル多重されて得られる、２４ビットワード列データとして、データ処理部２９１に供給される。
【００４９】
そして、データＤＡ１２の各ライン部における４ｋサンプルの有効データサンプルにあっては、それらの各々がＹデータ系列を構成する輝度信号情報をあらわすデータＹＤを含み、さらに、それらのうちの一つ置きのものがＰB ／ＰR データ系列を構成する色差信号情報をあらわすデータＰｂＤ／ＰｒＤを含む。それゆえ、連続する２有効データサンプルの組の夫々は、データＹＤ及びデータＰｂＤ／ＰｒＤを含むサンプルとデータＹＤのみを含むサンプルとで構成されることになる。
【００５０】
斯かるもとで、データ処理部２９１にあっては、図７のＡに示される如くに供給されるデータＤＡ１２に対して以下のデータ処理を施す。
【００５１】
先ず、データＤＡ１２の各ライン部における有効データサンプルについて、連続する２サンプルの組を順次交互に振り分ける処理を施し、二つの分割ディジタルデータＤＡ１２Ａ及びＤＡ１２Ｂを形成する。斯かる分割ディジタルデータＤＡ１２Ａ及びＤＡ１２Ｂは、図７のＢ及びＣに夫々示される如くに、各々が、フレームレートを２４Ｈｚとし、各フレームにおける有効ライン数が２ｋに設定されるとともに、各ラインにおける有効データサンプル数が、３４００／２以上で４４００／２以下の数値４ｋ／２、例えば、３８４０／２＝１９２０に設定された、一連のフレーム部Frame 1Aもしくは1B, 2Aもしくは2B, 3Aもしくは3B, ・・・・・を有するディジタル映像信号を成す２４ビットワード列データとされる。
【００５２】
次に、分割ディジタルデータＤＡ１２Ａについて、第１の一つ置きのライン部（例えば、奇数番目のライン部）及び第２の一つ置きのライン部（例えば、偶数番目のライン部）を、２個のメモリＡＯ及びＡＥに夫々格納する。メモリＡＯ及びＡＥの夫々に格納されたライン部は、図８のＡ及びＢの夫々に示される如くの、フレームレートを２４Ｈｚとし、各フレームにおける有効ライン数が、１６００／２以上で２２５０／２以下の数値２ｋ／２、例えば、１０８０に設定されるとともに、各ラインにおける有効データサンプル数が４ｋ／２に設定された、一連のフレーム部Frame1AOもしくは1AE, 2AOもしくは2AE, 3A0もしくは3AE,・・・・・を有するディジタル映像信号を成す２４ビットワード列データを形成する。
【００５３】
それとともに、分割ディジタルデータＤＡ１２Ｂについて、第１の一つ置きのライン部（例えば、奇数番目のライン部）及び第２の一つ置きのライン部（例えば、偶数番目のライン部）を、２個のメモリＢＯ及びＢＥに夫々格納する。メモリＢＯ及びＢＥの夫々に格納されたライン部は、図９のＡ及びＢの夫々に示される如くの、フレームレートを２４Ｈｚとし、各フレームにおける有効ライン数が、１６００／２以上で２２５０／２以下の数値２ｋ／２、例えば、１０８０に設定されるとともに、各ラインにおける有効データサンプル数が４ｋ／２に設定された、一連のフレーム部 Frame 1BOもしくは1BE, 2BOもしくは2BE, 3B0もしくは3BE,・・・・・を有するディジタル映像信号を成す２４ビットワード列データを形成する。
【００５４】
続いて、メモリＡＯに格納されたライン部及びメモリＡＥに格納されたライン部の夫々を、フレームレートを２４Ｈｚとするセグメンテッドフレームディジタル映像信号を成す２４ビットパラレルデータを形成するものとして読み出して、ワード伝送レートを７４．２５ＭＢｐｓとする２４ビットワード列データを得る処理を行い、それにより、図８のＣ及びＤに夫々示される如くの、各々が、フレームレートを２４Ｈｚとし、一連のセグメンテッドフレーム部 S.F.1A1もしくは1A2, 2A1もしくは2A2, 3A1もしくは3A2,・・・・・を有するディジタル映像信号を成す、ワード伝送レートを７４．２５ＭＢｐｓとする２４ビットワード列データＤＡ１２Ａ１及びＤＡ１２Ａ２を、リンクＡ−１及びリンクＡ−２として得る。
【００５５】
また、それとともに、メモリＢＯに格納されたライン部及びメモリＢＥに格納されたライン部の夫々を、フレームレートを２４Ｈｚとするセグメンテッドフレームディジタル映像信号を成す２４ビットパラレルデータを形成するものとして読み出して、ワード伝送レートを７４．２５ＭＢｐｓとする２４ビットワード列データを得る処理を行い、それにより、図９のＣ及びＤに夫々示される如くの、各々が、フレームレートを２４Ｈｚとし、一連のセグメンテッドフレーム部 S.F.1B1もしくは1B2, 2B1もしくは2B2, 3B1もしくは3B2,・・・・・を有するディジタル映像信号を成す、ワード伝送レートを７４．２５ＭＢｐｓとする２４ビットワード列データＤＡ１２Ｂ１及びＤＡ１２Ｂ２を、リンクＢ−１及びリンクＢ−２として得る。
【００５６】
２４ビットワード列データＤＡ１２Ａ１，ＤＡ１２Ａ２，ＤＡ１２Ｂ１及びＤＡ１２Ｂ２の夫々は、図１０に示される如くに、Ｙデータ系列を構成する１２ビットワードＹＤ０，ＹＤ１，ＹＤ２，ＹＤ３，・・・・・と、ＰB ／ＰR データ系列を構成する１２ビットワードＰｂＤ０，ＰｒＤ０，ＰｂＤ１，ＰｒＤ１，ＰｂＤ２，ＰｒＤ２，・・・・・とが、パラレル多重されて成るものとされる。
【００５７】
さらに、図１０に示される如くの、２４ビットワード列データＤＡ１２Ａ１，ＤＡ１２Ａ２，ＤＡ１２Ｂ１及びＤＡ１２Ｂ２の夫々について、そのＹデータ系列を構成する１２ビットワードＹＤ０，ＹＤ１，ＹＤ２，ＹＤ３，・・・・・及びＰB ／ＰR データ系列を構成する１２ビットワードＰｂＤ０，ＰｒＤ０，ＰｂＤ１，ＰｒＤ１，ＰｂＤ２，ＰｒＤ２，・・・・・の夫々を、上位１０ビットＹ０；２−１１，Ｙ１；２−１１，Ｙ２；２−１１，Ｙ３；２−１１，・・・・・及びＰｂ０；２−１１，Ｐｒ０；２−１１，Ｐｂ１；２−１１，Ｐｒ１；２−１１，Ｐｂ２；２−１１，Ｐｒ２；２−１１，・・・・・と、下位２ビットＹ０；０−１  Ｙ１；０−１，Ｙ２；０−１，Ｙ３；０−１，・・・・・及びＰｂ０；０−１，Ｐｒ０；０−１，Ｐｂ１；０−１，Ｐｒ１；０−１，Ｐｂ２；０−１，Ｐｒ２；０−１，・・・・・とに分割する。
【００５８】
そして、分割された上位１０ビットの列：Ｙ０；２−１１，Ｙ１；２−１１，Ｙ２；２−１１，Ｙ３；２−１１，・・・・・と、分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とを、パラレル多重して、ワード伝送レートを７４．２５ＭＢｐｓとする２０ビットワード列データＤＡ１２Ａ１Ａ，ＤＡ１２Ａ２Ａ，ＤＡ１２Ｂ１Ａ及びＤＡ１２Ｂ２Ａの夫々を、リンクＡ−１Ａ，リンクＡ−２Ａ，リンクＢ−１ＡもしくはリンクＢ−２Ａとして、図１１に示される如くに形成する。
【００５９】
また、分割された下位２ビットＹ０；０−１，Ｙ１；０−１，Ｙ２；０−１，Ｙ３；０−１，・・・・・に、８ビットの補助ビットｃ０，ｃ１，ｃ２，ｃ３，・・・・・を夫々加えて、１０ビット [Ｙ０；０−１] ＋ｃ０， [Ｙ１；０−１] ＋ｃ１， [Ｙ２；０−１] ＋ｃ２， [Ｙ３；０−１] ＋ｃ３，・・・・・とするとともに、分割された下位２ビットＰｂ０；０−１，Ｐｒ０；０−１，Ｐｂ１；０−１，Ｐｒ１；０−１，Ｐｂ２；０−１，Ｐｒ２；０−１，・・・・・に、８ビットの補助ビットｄ０，ｄ１，ｄ２，ｄ３，・・・・・を夫々加えて、１０ビット [Ｐｂ０；０−１] ＋ｄ０， [Ｐｒ０；０−１] ＋ｄ１， [Ｐｂ１；０−１] ＋ｄ２， [Ｐｒ１；０−１] ＋ｄ３， [Ｐｂ２；０−１] ＋ｄ４， [Ｐｒ２；０−１] ＋ｄ５，・・・・・とする。そして、１０ビットの列： [Ｙ０；０−１] ＋ｃ０， [Ｙ１；０−１] ＋ｃ１， [Ｙ２；０−１] ＋ｃ２， [Ｙ３；０−１] ＋ｃ３，・・・・・と、１０ビットの列： [Ｐｂ０；０−１] ＋ｄ０， [Ｐｒ０；０−１] ＋ｄ１， [Ｐｂ１；０−１] ＋ｄ２， [Ｐｒ１；０−１] ＋ｄ３， [Ｐｂ２；０−１] ＋ｄ４， [Ｐｒ２；０−１] ＋ｄ５，・・・・・とを、パラレル多重して、ワード伝送レートを７４．２５ＭＢｐｓとする２０ビットワード列データＤＡ１２Ａ１Ｂ，ＤＡ１２Ａ２Ｂ，ＤＡ１２Ｂ１Ｂ及びＤＡ１２Ｂ２Ｂの夫々を、リンクＡ−１Ｂ，リンクＡ−２Ｂ，リンクＢ−１ＢもしくはリンクＢ−２Ｂとして、図１２に示される如くに形成する。
【００６０】
あるいは、上述の分割された下位２ビットＹ０；０−１，Ｙ１；０−１，Ｙ２；０−１，Ｙ３；０−１，・・・・・及び分割された下位２ビットＰｂ０；０−１，Ｐｒ０；０−１，Ｐｂ１；０−１，Ｐｒ１；０−１，Ｐｂ２；０−１，Ｐｒ２；０−１，・・・・・についての処理に代えて、以下の処理を行う。
【００６１】
分割された下位２ビットＹ０；０−１とＰｂ０；０−１とＰｒ０；０−１とを多重するとともに４ビットの補助ビットｄ０を加えて得られる１０ビット [Ｙ０ＢＲ０；０−１] ＋ｄ０，分割された下位２ビットＹ１；０−１に８ビットの補助ビットｅ０を加えて得られる１０ビット [Ｙ１；０−１] ＋ｅ０，分割された下位２ビットＹ２；０−１とＰｂ１；０−１とＰｒ１；０−１とを多重するとともに４ビットの補助ビットｄ１を加えて得られる１０ビット [Ｙ２ＢＲ１；０−１] ＋ｄ１，分割された下位２ビットＹ３；０−１に８ビットの補助ビットｅ１を加えて得られる１０ビット [Ｙ３；０−１] ＋ｅ１，分割された下位２ビットＹ４；０−１とＰｂ２；０−１とＰｒ２；０−１とを多重するとともに４ビットの補助ビットｄ２を加えて得られる１０ビット [Ｙ４ＢＲ２；０−１] ＋ｄ２，分割された下位２ビットＹ５；０−１に８ビットの補助ビットｅ２を加えて得られる１０ビット [Ｙ５；０−１] ＋ｅ２，・・・・・を形成する。そして、このようにして得た１０ビットの列と、補助１０ビットワードαＤ０，αＤ１，αＤ２，αＤ３，・・・・・とをパラレル多重して、ワード伝送レートを７４．２５ＭＢｐｓとする２０ビットワード列データＤＡ１２Ａ１Ｂ，ＤＡ１２Ａ２Ｂ，ＤＡ１２Ｂ１Ｂ及びＤＡ１２Ｂ２Ｂの夫々を、リンクＡ−１Ｂ，リンクＡ−２Ｂ，リンクＢ−１ＢもしくはリンクＢ−２Ｂとして、図１３に示される如くに形成する。
【００６２】
即ち、この場合、データ処理部２９１にあっては、フレームレートを２４Ｈｚとし、各フレーム部における有効ライン部数が２ｋに設定されるとともに各ライン部における有効データサンプル数が４ｋに設定されたディジタル映像信号を成す、１２ビットワード列データとされたＹデータ系列と１２ビットワード列データとされたＰB ／ＰR データ系列とが、フレーム同期及びライン同期がとられたもとでパラレル多重されて得られる、２４ビットワード列データとされるデータＤＡ１２を、各々がワード伝送レートを７４．２５ＭＢｐｓとする２０ビットワード列データＤＡ１２Ａ１Ａ，ＤＡ１２Ａ２Ａ，ＤＡ１２Ａ１Ｂ，ＤＡ１２Ａ２Ｂ，ＤＡ１２Ｂ１Ａ，ＤＡ１２Ｂ２Ａ，ＤＡ１２Ｂ１Ｂ及びＤＡ１２Ｂ２Ｂの、８系統のワード列データに変換するのである。そして、データ処理部２９１は、斯かる８系統のワード列データを、２０ビットワード列データＤＰＡ１（２０），ＤＰＡ２（２０），ＤＰＡ３（２０），ＤＰＡ４（２０），ＤＰＢ１（２０），ＤＰＢ２（２０），ＤＰＢ３（２０）及びＤＰＢ４（２０）として導出する。
【００６３】
データ処理部２９１は、ディジタルデータＤＶＸが図４に示されるフレームレートを２５ＨｚとするデータＤＢ１２、もしくは、フレームレートを３０ＨｚとするデータＤＣ１２である場合にも、ディジタルデータＤＶＸがデータＤＡ１２である場合と同様にして、各フレーム部における有効ライン部数が２ｋに設定されるとともに各ライン部における有効データサンプル数が４ｋに設定されたディジタル映像信号を成す、１２ビットワード列データとされたＹデータ系列と１２ビットワード列データとされたＰB ／ＰR データ系列とが、フレーム同期及びライン同期がとられたもとでパラレル多重されて得られる、２４ビットワード列データとされるデータＤＢ１２もしくはＤＣ１２を、各々がワード伝送レートを７４．２５ＭＢｐｓとする２０ビットワード列データとされる８系統のワード列データに変換する。そして、データ処理部２９１は、斯かる８系統のワード列データも、２０ビットワード列データＤＰＡ１（２０），ＤＰＡ２（２０），ＤＰＡ３（２０），ＤＰＡ４（２０），ＤＰＢ１（２０），ＤＰＢ２（２０），ＤＰＢ３（２０）及びＤＰＢ４（２０）として導出する。
【００６４】
また、ディジタルデータＤＶＸが、図４に示される量子化ビット数を１４ビットもしくは１６ビットとする４：２：２形式のディジタル映像信号を成すディジタルデータであるデータＤＡ１４，ＤＢ１４，ＤＣ１４，ＤＡ１６，ＤＢ１６もしくはＤＣ１６とされるとき、データ処理部２９１は、データＤＡ１４，ＤＢ１４，ＤＣ１４，ＤＡ１６，ＤＢ１６もしくはＤＣ１６に対して、データＤＡ１２，ＤＢ１２もしくはＤＣ１２に対する場合と同様な処理を施す。但し、Ｙデータ系列及びＰB ／ＰR データ系列を構成する１２ビットワードの夫々を、上位１０ビットと下位２ビットとに分割する処理に代えて、Ｙデータ系列及びＰB ／ＰR データ系列を構成する１４ビットワードの夫々を、上位１０ビットと下位４ビットとに分割する処理、もしくは、Ｙデータ系列及びＰB ／ＰR データ系列を構成する１６ビットワードの夫々を、上位１０ビットと下位６ビットとに分割する処理を行う。
【００６５】
そして、量子化ビット数を１４ビットもしくは１６ビットとするデータＤＡ１４，ＤＢ１４，ＤＣ１４，ＤＡ１６，ＤＢ１６もしくはＤＣ１６を、各々がワード伝送レートを７４．２５ＭＢｐｓとする２０ビットワード列データとされる８系統のワード列データに変換する。データ処理部２９１は、斯かる８系統のワード列データも、２０ビットワード列データＤＰＡ１（２０），ＤＰＡ２（２０），ＤＰＡ３（２０），ＤＰＡ４（２０），ＤＰＢ１（２０），ＤＰＢ２（２０），ＤＰＢ３（２０）及びＤＰＢ４（２０）として導出する。
【００６６】
ディジタルデータＤＶＸが図４に示されるデータＤＤ１０である場合、データＤＤ１０は、図１４のＡに示される如くに、フレームレートを２４Ｈｚとし、各フレーム部における有効ライン部数が２ｋに設定されるとともに各ライン部における有効データサンプル数が４ｋに設定された、一連のフレーム部 Frame 1, 2, 3, ・・・・・を有するディジタル映像信号を成す、１０ビットワード列データとされたＧデータ系列と１０ビットワード列データとされたＢデータ系列と１０ビットワード列データとされたＲデータ系列とが、フレーム同期及びライン同期がとられたもとでパラレル多重されて得られる、３０ビットワード列データとして、データ処理部２９１に供給される。
【００６７】
そして、データＤＤ１０の各ライン部における４ｋサンプルの有効データサンプルにあっては、それらの各々がＧデータ系列を構成する緑色原色信号情報をあらわすデータＧＤ，Ｂデータ系列を構成する青色原色信号情報をあらわすデータＢＤ、及び、Ｒデータ系列を構成する赤色原色信号情報をあらわすデータＲＤを含む。
【００６８】
斯かるもとで、データ処理部２９１にあっては、図１４のＡに示される如くに供給されるデータＤＤ１０に対して以下のデータ処理を施す。
【００６９】
先ず、データＤＤ１０の各ライン部における有効データサンプルＳ０，Ｓ１，Ｓ２，Ｓ３，Ｓ４，Ｓ５，・・・・・（Ｓ０，Ｓ１，Ｓ２，Ｓ３，Ｓ４，Ｓ５，・・・・・は、夫々、サンプルされた緑色原色信号情報をあらわすデータＳＧ０，ＳＧ１，ＳＧ２，・・・・・と、サンプルされた青色原色信号情報をあらわすデータＳＢ０，ＳＢ１，ＳＢ２，・・・・・と、サンプルされた赤色原色信号情報をあらわすデータＳＲ０，ＳＲ１，ＳＲ２，・・・・・とを含む。図１５参照。）について、１サンプルずつ順次振り分けることにより、図１５のＡ及びＢに示される如くの、二つの分割ディジタルデータＤＤ１０Ａ及びＤＤ１０Ｂを形成する。
【００７０】
斯かる分割ディジタルデータＤＤ１０Ａ及びＤＤ１０Ｂは、図１４のＢ及びＣに夫々示される如くに、各々が、フレームレートを２４Ｈｚとし、各フレームにおける有効ライン数が２ｋに設定されるとともに、各ラインにおける有効データサンプル数が、３４００／２以上で４４００／２以下の数値４ｋ／２、例えば、３８４０／２＝１９２０に設定された、一連のフレーム部 Frame 1A もしくは1B, 2Aもしくは2B, 3Aもしくは3B, ・・・・・を有するディジタル映像信号を成す３０ビットワード列データとされる。
【００７１】
次に、分割ディジタルデータＤＤ１０Ａについて、図１６のＡ及びＢに示される如くに、第１の一つ置きのライン部（例えば、奇数番目のライン部） Line AD1, Line AD3, Line AD5,・・・・・及び第２の一つ置きのライン部（例えば、偶数番目のライン部） Line AD2, Line AD4, Line AD6,・・・・・を、２個のメモリＡＯ及びＡＥに夫々格納する。メモリＡＯ及びＡＥの夫々に格納されたライン部は、図１７のＡ及びＢの夫々に示される如くの、フレームレートを２４Ｈｚとし、各フレームにおける有効ライン数が、１６００／２以上で２２５０／２以下の数値２ｋ／２、例えば、１０８０に設定されるとともに、各ラインにおける有効データサンプル数が４ｋ／２に設定されて、フレーム部 Frame 1A0もしくは1AE, 2A0もしくは2AE, 3A0もしくは3AE,・・・・・を有したディジタル映像信号を成す３０ビットワード列データを形成する。
【００７２】
それとともに、分割ディジタルデータＤＤ１０Ｂについて、図１８のＡ及びＢに示される如くに、第１の一つ置きのライン部（例えば、奇数番目のライン部） Line BD1, Line BD3, Line BD5,・・・・・及び第２の一つ置きのライン部（例えば、偶数番目のライン部） Line BD2, Line BD4, Line BD6,・・・・・を、２個のメモリＢＯ及びＢＥに夫々格納する。メモリＢＯ及びＢＥの夫々に格納されたライン部は、図１９のＡ及びＢの夫々に示される如くの、フレームレートを２４Ｈｚとし、各フレームにおける有効ライン数が、１６００／２以上で２２５０／２以下の数値２ｋ／２、例えば、１０８０に設定されるとともに、各ラインにおける有効データサンプル数が４ｋ／２に設定されて、フレーム部 Frame 1B0もしくは1BE, 2B0もしくは2BE, 3B0もしくは3BE,・・・・・を有したディジタル映像信号を成す３０ビットワード列データを形成する。
【００７３】
続いて、メモリＡＯに格納されたライン部及びメモリＡＥに格納されたライン部の夫々を、フレームレートを２４Ｈｚとするセグメンテッドフレームディジタル映像信号を成す３０ビットパラレルデータを形成するものとして読み出して、ワード伝送レートを７４．２５ＭＢｐｓとする３０ビットワード列データを得る処理を行い、それにより、図１７のＣ及びＤに夫々示される如くの、各々が、フレームレートを２４Ｈｚとし、一連のセグメンテッドフレーム S.F.1A1もしくは1A2, 2A1もしくは2A2, 3A1もしくは3A2,・・・・・を有したディジタル映像信号を成す、ワード伝送レートを７４．２５ＭＢｐｓとする３０ビットワード列データＤＤ１０Ａ１及びＤＤ１０Ａ２を、リンクＡ−１及びリンクＡ−２として得る。
【００７４】
また、それとともに、メモリＢＯに格納されたライン部及びメモリＢＥに格納されたライン部の夫々を、フレームレートを２４Ｈｚとするセグメンテッドフレームディジタル映像信号を成す３０ビットパラレルデータを形成するものとして読み出して、ワード伝送レートを７４．２５ＭＢｐｓとする３０ビットワード列データを得る処理を行い、それにより、図１９のＣ及びＤに夫々示される如くの、各々が、フレームレートを２４Ｈｚとし、一連のセグメンテッドフレーム S.F.1B1もしくは1B2, 2B1もしくは2B2, 3B1もしくは3B2,・・・・・を有したディジタル映像信号を成す、ワード伝送レートを７４．２５ＭＢｐｓとする３０ビットワード列データＤＤ１０Ｂ１及びＤＤ１０Ｂ２を、リンクＢ−１及びリンクＢ−２として得る。
【００７５】
３０ビットワード列データＤＤ１０Ａ１，ＤＤ１０Ａ２，ＤＤ１０Ｂ１及びＤＤ１０Ｂ２の夫々は、図２０に示される如くに、Ｇデータ系列を構成する１０ビットワードＧＤ０，ＧＤ１，ＧＤ２，ＧＤ３，・・・・・と、Ｂデータ系列を構成する１０ビットワードＢＤ０，ＢＤ１，ＢＤ２，ＢＤ３，・・・・・と、Ｒデータ系列を構成する１０ビットワードＲＤ０，ＲＤ１，ＲＤ２，ＲＤ３，・・・・・とが、パラレル多重されて成るものとされる。
【００７６】
さらに、図２０に示される如くの、３０ビットワード列データＤＤ１０Ａ１，ＤＤ１０Ａ２，ＤＤ１０Ｂ１及びＤＤ１０Ｂ２の夫々について、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・、及び、Ｒデータ系列を構成する１０ビットワードＲＤ０，ＲＤ１，ＲＤ２，ＲＤ３，・・・・・と、それに加えられた補助データ系列を構成する補助１０ビットワードＡＤ０，ＡＤ１，ＡＤ２，ＡＤ３，・・・・・を、図２１において太実線により区切られている如くにして区分し、Ｇデータ系列を形成する１０ビットワードＧＤ０，ＧＤ１，ＧＤ２，ＧＤ３，・・・・・，Ｂデータ系列を形成する１０ビットワードＢＤ０，ＢＤ２，・・・・・及びＲデータ系列を形成する１０ビットワードＲＤ０，ＲＤ２，・・・・・を含む１０ビットワードグループ１と、補助データ系列を形成する補助１０ビットワードＡＤ０，ＡＤ１，ＡＤ２，ＡＤ３，・・・・・，Ｂデータ系列を形成する１０ビットワードＢＤ１，ＢＤ３，・・・・・及びＲデータ系列を形成する１０ビットワードＲＤ１，ＲＤ３，・・・・・を含む１０ビットワードグループ２とに振り分ける。
【００７７】
そして、図２１に示される１０ビットワードグループ１に基づく、ワード伝送レートを７４．２５ＭＢｐｓとする２０ビットワード列データＤＤ１０Ａ１Ａ，ＤＤ１０Ａ２Ａ，ＤＤ１０Ｂ１Ａ及びＤＤ１０Ｂ２Ａの夫々を、リンクＡ−１Ａ，リンクＡ−２Ａ，リンクＢ−１ＡもしくはリンクＢ−２Ａとして、図２２に示される如くに形成する。また、図２１に示される１０ビットワードグループ２に基づく、ワード伝送レートを７４．２５ＭＢｐｓとする２０ビットワード列データＤＤ１０Ａ１Ｂ，ＤＤ１０Ａ２Ｂ，ＤＤ１０Ｂ１Ｂ及びＤＤ１０Ｂ２Ｂの夫々を、リンクＡ−１Ｂ，リンクＡ−２Ｂ，リンクＢ−１ＢもしくはリンクＢ−２Ｂとして、図２３に示される如くに形成する。
【００７８】
即ち、この場合、データ処理部２９１にあっては、フレームレートを２４Ｈｚとし、各フレーム部における有効ライン部数が２ｋに設定されるとともに各ライン部における有効データサンプル数が４ｋに設定されたディジタル映像信号を成す、１０ビットワード列データとされたＧデータ系列と、１０ビットワード列データとされたＢデータ系列と、１０ビットワード列データとされたＲデータ系列とが、フレーム同期及びライン同期がとられたもとでパラレル多重されて得られる、３０ビットワード列データとされるデータＤＤ１０を、各々がワード伝送レートを７４．２５ＭＢｐｓとする２０ビットワード列データＤＤ１０Ａ１Ａ，ＤＤ１０Ａ２Ａ，ＤＤ１０Ａ１Ｂ，ＤＤ１０Ａ２Ｂ，ＤＤ１０Ｂ１Ａ，ＤＤ１０Ｂ２Ａ，ＤＤ１０Ｂ１Ｂ及びＤＤ１０Ｂ２Ｂの、８系統のワード列データに変換するのである。そして、データ処理部２９１は、斯かる８系統のワード列データを、２０ビットワード列データＤＰＡ１（２０），ＤＰＡ２（２０），ＤＰＡ３（２０），ＤＰＡ４（２０），ＤＰＢ１（２０），ＤＰＢ２（２０），ＤＰＢ３（２０）及びＤＰＢ４（２０）として導出する。
【００７９】
データ処理部２９１は、ディジタルデータＤＶＸが図４に示されるフレームレートを２５ＨｚとするＤＥ１０、もしくは、フレームレートを３０ＨｚとするＤＦ１０である場合にも、ディジタルデータＤＶＸがＤＤ１０である場合と同様にして、各フレーム部における有効ライン部数が２ｋに設定されるとともに各ライン部における有効データサンプル数が４ｋに設定されたディジタル映像信号を成す、１０ビットワード列データとされたＧデータ系列と１０ビットワード列データとされたＢデータ系列と１０ビットワード列データとされたＲデータ系列とが、フレーム同期及びライン同期がとられたもとでパラレル多重されて得られる、３０ビットワード列データとされるデータＤＥ１０もしくはＤＦ１０を、各々がワード伝送レートを７４．２５ＭＢｐｓとする２０ビットワード列データとされる８系統のワード列データに変換する。そして、データ処理部２９１は、斯かる８系統のワード列データも、２０ビットワード列データＤＰＡ１（２０），ＤＰＡ２（２０），ＤＰＡ３（２０），ＤＰＡ４（２０），ＤＰＢ１（２０），ＤＰＢ２（２０），ＤＰＢ３（２０）及びＤＰＢ４（２０）として導出する。
【００８０】
ディジタルデータＤＶＸが図４に示されるデータＤＤ１２である場合、データＤＤ１２は、図２４のＡに示される如くに、フレームレートを２４Ｈｚとし、各フレーム部における有効ライン部数が２ｋに設定されるとともに各ライン部における有効データサンプル数が４ｋに設定された、一連のフレーム部 Frame 1, 2, 3, ・・・・・を有するディジタル映像信号を成す、１２ビットワード列データとされたＧデータ系列と、１２ビットワード列データとされたＢデータ系列と、１２ビットワード列データとされたＲデータ系列とが、フレーム同期及びライン同期がとられたもとでパラレル多重されて得られる、３６ビットワード列データとして、データ処理部２９１に供給される。
【００８１】
そして、データＤＤ１２の各ライン部における４ｋサンプルの有効データサンプルにあっては、それらの各々がＧデータ系列を構成する緑色原色信号情報をあらわすデータＧＤ，Ｂデータ系列を構成する青色原色信号情報をあらわすデータＢＤ、及び、Ｒデータ系列を構成する赤色原色信号情報をあらわすデータＲＤを含む。
【００８２】
斯かるもとで、データ処理部２９１にあっては、図２４のＡに示される如くに供給されるデータＤＤ１２に対して以下のデータ処理を施す。
【００８３】
先ず、データＤＤ１２の各ライン部における有効データサンプルについて、前述の図１５のＡ及びＢに示されるデータＤＤ１０の各ライン部における有効データサンプルについての処理と同様にして、１サンプルずつ順次振り分ける処理を施し、二つの分割ディジタルデータＤＤ１２Ａ及びＤＤ１２Ｂを形成する。
【００８４】
斯かる分割ディジタルデータＤＤ１２Ａ及びＤＤ１２Ｂは、図２４のＢ及びＣに夫々示される如くに、各々が、フレームレートを２４Ｈｚとし、各フレームにおける有効ライン数が２ｋに設定されるとともに、各ラインにおける有効データサンプル数が、３４００／２以上で４４００／２以下の数値４ｋ／２、例えば、３８４０／２＝１９２０に設定された、一連のフレーム部 Frame 1A もしくは1B, 2Aもしくは2B, 3Aもしくは3B, ・・・・・を有するディジタル映像信号を成す３６ビットワード列データとされる。
【００８５】
次に、分割ディジタルデータＤＤ１２Ａについて、図１６のＡ及びＢに示される分割ディジタルデータＤＤ１０Ａの場合と同様にして、第１の一つ置きのライン部（例えば、奇数番目のライン部）及び第２の一つ置きのライン部（例えば、偶数番目のライン部）を、２個のメモリＡＯ及びＡＥに夫々格納する。メモリＡＯ及びＡＥの夫々に格納されたライン部は、図２５のＡ及びＢの夫々に示される如くの、フレームレートを２４Ｈｚとし、各フレームにおける有効ライン数が、１６００／２以上で２２５０／２以下の数値２ｋ／２、例えば、１０８０に設定されるとともに、各ラインにおける有効データサンプル数が４ｋ／２に設定された、一連のフレーム部 Frame 1AOもしくは1AE, 2AOもしくは2AE, 3A0もしくは3AE,・・・・・を有するディジタル映像信号を成す３６ビットワード列データを形成する。
【００８６】
それとともに、分割ディジタルデータＤＤ１２Ｂについて、図１８のＡ及びＢに示される分割ディジタルデータＤＤ１０Ｂの場合と同様にして、第１の一つ置きのライン部（例えば、奇数番目のライン部）及び第２の一つ置きのライン部（例えば、偶数番目のライン部）を、２個のメモリＢＯ及びＢＥに夫々格納する。メモリＢＯ及びＢＥの夫々に格納されたライン部は、図２６のＡ及びＢの夫々に示される如くの、フレームレートを２４Ｈｚとし、各フレームにおける有効ライン数が、１６００／２以上で２２５０／２以下の数値２ｋ／２、例えば、１０８０に設定されるとともに、各ラインにおける有効データサンプル数が４ｋ／２に設定された、一連のフレーム部 Frame 1BOもしくは1BE, 2BOもしくは2BE, 3B0もしくは3BE,・・・・・を有するディジタル映像信号を成す３６ビットワード列データを形成する。
【００８７】
続いて、メモリＡＯに格納されたライン部及びメモリＡＥに格納されたライン部の夫々を、フレームレートを２４Ｈｚとするセグメンテッドフレームディジタル映像信号を成す３６ビットパラレルデータを形成するものとして読み出して、ワード伝送レートを７４．２５ＭＢｐｓとする３６ビットワード列データを得る処理を行い、それにより、図２５のＣ及びＤに夫々示される如くの、各々が、フレームレートを２４Ｈｚとし、一連のセグメンテッドフレーム S.F.1A1もしくは1A2, 2A1もしくは2A2, 3A1もしくは3A2,・・・・・を有したディジタル映像信号を成す、ワード伝送レートを７４．２５ＭＢｐｓとする３６ビットワード列データＤＤ１２Ａ１及びＤＤ１２Ａ２を、リンクＡ−１及びリンクＡ−２として得る。
【００８８】
また、それとともに、メモリＢＯに格納されたライン部及びメモリＢＥに格納されたライン部の夫々を、フレームレートを２４Ｈｚとするセグメンテッドフレームディジタル映像信号を成す３６ビットパラレルデータを形成するものとして読み出して、ワード伝送レートを７４．２５ＭＢｐｓとする３６ビットワード列データを得る処理を行い、それにより、図２６のＣ及びＤに夫々示される如くの、各々が、フレームレートを２４Ｈｚとし、一連のセグメンテッドフレーム S.F.1B1もしくは1B2, 2B1もしくは2B2, 3B1もしくは3B2,・・・・・を有したディジタル映像信号を成す、ワード伝送レートを７４．２５ＭＢｐｓとする３６ビットワード列データＤＤ１２Ｂ１及びＤＤ１２Ｂ２を、リンクＢ−１及びリンクＢ−２として得る。
【００８９】
３６ビットワード列データＤＤ１２Ａ１，ＤＤ１２Ａ２，ＤＤ１２Ｂ１及びＤＤ１２Ｂ２の夫々は、図２７に示される如くに、Ｇデータ系列を構成する１２ビットワードＧＤ０，ＧＤ１，ＧＤ２，ＧＤ３，・・・・・と、Ｂデータ系列を構成する１２ビットワードＢＤ０，ＢＤ１，ＢＤ２，ＢＤ３，・・・・・と、Ｒデータ系列を構成する１２ビットワードＲＤ０，ＲＤ１，ＲＤ２，ＲＤ３，・・・・・とが、パラレル多重されて成るものとされる。
【００９０】
さらに、図２７に示される如くの、３６ビットワード列データＤＤ１２Ａ１，ＤＤ１２Ａ２，ＤＤ１２Ｂ１及びＤＤ１２Ｂ２の夫々について、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位１０ビットＧ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・、及び、Ｒ０；２−１１，Ｒ１；２−１１，Ｒ２；２−１１，Ｒ３；２−１１，・・・・・と、下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・、及び、Ｒ０；０−１，Ｒ１；０−１，Ｒ２；０−１，Ｒ３；０−１，・・・・・とに分割する。
【００９１】
次に、分割された下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・、及び、Ｒ０；０−１，Ｒ１；０−１，Ｒ２；０−１，Ｒ３；０−１，・・・・・に基づいて、Ｇ０；０−１とＢ０；０−１とＲ０；０−１とをビット多重するとともに４ビットの補助ビットｆ０を加えて得られる１０ビット [ＧＢＲ０：０−１] ＋ｆ０，Ｇ１；０−１とＢ１；０−１とＲ１；０−１とをビット多重するとともに４ビットの補助ビットｆ１を加えて得られる１０ビット [ＧＢＲ１：０−１] ＋ｆ１，Ｇ２；０−１とＢ２；０−１とＲ２；０−１とをビット多重するとともに４ビットの補助ビットｆ２を加えて得られる１０ビット [ＧＢＲ２：０−１] ＋ｆ２，Ｇ３；０−１とＢ３；０−１とＲ３；０−１とをビット多重するとともに４ビットの補助ビットｆ３を加えて得られる１０ビット [ＧＢＲ３：０−１] ＋ｆ３，・・・・・を形成する。
【００９２】
続いて、図２８に示される如くの、分割された上位１０ビットの列：Ｇ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・、及び、Ｒ０；２−１１，Ｒ１；２−１１，Ｒ２；２−１１，Ｒ３；２−１１，・・・・・と、形成された１０ビットの列： [ＧＢＲ０：０−１] ＋ｆ０， [ＧＢＲ１：０−１] ＋ｆ１， [ＧＢＲ２：０−１] ＋ｆ２， [ＧＢＲ３：０−１] ＋ｆ３，・・・・・とを、図２８において太実線により区切られている如くに区分し、分割された上位１０ビットの列：Ｇ０；２−１１，Ｇ１；２−１１，Ｇ２；２−１１，Ｇ３；２−１１，・・・・・と、分割された上位１０ビット：Ｂ０；２−１１，Ｂ２；２−１１，Ｂ４；２−１１，・・・・・、及び、Ｒ０；２−１１，Ｒ２；２−１１，Ｒ４；２−１１，・・・・・とを含む１０ビットワードグループ１と、分割された上位１０ビット：Ｂ１；２−１１，Ｂ３；２−１１，Ｂ５；２−１１，・・・・・及びＲ１；２−１１，Ｒ３；２−１１，Ｒ５；２−１１，・・・・・と、形成された１０ビットの列： [ＧＢＲ０：０−１] ＋ｆ０， [ＧＢＲ１：０−１] ＋ｆ１， [ＧＢＲ２：０−１] ＋ｆ２， [ＧＢＲ３：０−１] ＋ｆ３，・・・・・とを含む１０ビットワードグループ２とに振り分ける。
【００９３】
そして、図２８に示される１０ビットワードグループ１に基づく、ワード伝送レートを７４．２５ＭＢｐｓとする２０ビットワード列データＤＤ１２Ａ１Ａ，ＤＤ１２Ａ２Ａ，ＤＤ１２Ｂ１Ａ及びＤＤ１２Ｂ２Ａの夫々を、リンクＡ−１Ａ，リンクＡ−２Ａ，リンクＢ−１ＡもしくはリンクＢ−２Ａとして、図２９に示される如くに形成する。また、図２８に示される１０ビットワードグループ２に基づく、ワード伝送レートを７４．２５ＭＢｐｓとする２０ビットワード列データＤＤ１２Ａ１Ｂ，ＤＤ１２Ａ２Ｂ，ＤＤ１２Ｂ１Ｂ及びＤＤ１２Ｂ２Ｂの夫々を、リンクＡ−１Ｂ，リンクＡ−２Ｂ，リンクＢ−１ＢもしくはリンクＢ−２Ｂとして、図３０に示される如くに形成する。
【００９４】
即ち、この場合、データ処理部２９１にあっては、フレームレートを２４Ｈｚとし、各フレーム部における有効ライン部数が２ｋに設定されるとともに各ライン部における有効データサンプル数が４ｋに設定されたディジタル映像信号を成す、１２ビットワード列データとされたＧデータ系列と、１２ビットワード列データとされたＢデータ系列と、１２ビットワード列データとされたＲデータ系列とが、フレーム同期及びライン同期がとられたもとでパラレル多重されて得られる、３６ビットワード列データとされるデータＤＤ１２を、各々がワード伝送レートを７４．２５ＭＢｐｓとする２０ビットワード列データＤＤ１２Ａ１Ａ，ＤＤ１２Ａ２Ａ，ＤＤ１２Ａ１Ｂ，ＤＤ１２Ａ２Ｂ，ＤＤ１２Ｂ１Ａ，ＤＤ１２Ｂ２Ａ，ＤＤ１２Ｂ１Ｂ及びＤＤ１２Ｂ２Ｂの、８系統のワード列データに変換するのである。そして、データ処理部２９１は、斯かる８系統のワード列データを、２０ビットワード列データＤＰＡ１（２０），ＤＰＡ２（２０），ＤＰＡ３（２０），ＤＰＡ４（２０），ＤＰＢ１（２０），ＤＰＢ２（２０），ＤＰＢ３（２０）及びＤＰＢ４（２０）として導出する。
【００９５】
データ処理部２９１は、ディジタルデータＤＶＸが図４に示されるフレームレートを２５ＨｚとするＤＥ１２、もしくは、フレームレートを３０ＨｚとするＤＦ１２である場合にも、ディジタルデータＤＶＸがＤＤ１２である場合と同様にして、各フレーム部における有効ライン部数が２ｋに設定されるとともに各ライン部における有効データサンプル数が４ｋに設定されたディジタル映像信号を成す、１２ビットワード列データとされたＧデータ系列と、１２ビットワード列データとされたＢデータ系列と、１２ビットワード列データとされたＲデータ系列とが、フレーム同期及びライン同期がとられたもとでパラレル多重されて得られる、３６ビットワード列データとされるデータＤＥ１２もしくはＤＦ１２を、各々がワード伝送レートを７４．２５ＭＢｐｓとする２０ビットワード列データとされる８系統のワード列データに変換する。そして、データ処理部２９１は、斯かる８系統のワード列データも、２０ビットワード列データＤＰＡ１（２０），ＤＰＡ２（２０），ＤＰＡ３（２０），ＤＰＡ４（２０），ＤＰＢ１（２０），ＤＰＢ２（２０），ＤＰＢ３（２０）及びＤＰＢ４（２０）として導出する。
【００９６】
データ処理部２９１から送出されるワード伝送レートを７４．２５ＭＢｐｓとする２０ビットワード列データＤＰＡ１（２０）は、データ挿入部２９２に供給される。データ挿入部２９２にあっては、２０ビットワード列データＤＰＡ１（２０）に、必要に応じたチャンネル識別データを含む補助データＤＡＡ１を挿入し、補助データＤＡＡ１が挿入された２０ビットワード列データＤＰＡ１’（２０）を形成する。データ挿入部２９２から得られる２０ビットワード列データＤＰＡ１’（２０）は、Ｐ／Ｓ変換部２９３に供給される。
【００９７】
Ｐ／Ｓ変換部２９３にあっては、２０ビットワード列データＤＰＡ１’（２０）にＰ／Ｓ変換を施して、２０ビットワード列データＤＰＡ１’（２０）に基づくビット伝送レートを７４．２５ＭＢｐｓ×２０＝１．４８５ＧｂｐｓとするシリアルデータＤＳＡ１を形成し、そのシリアルデータＤＳＡ１をＥ／Ｏ変換部２９４に供給する。
【００９８】
Ｅ／Ｏ変換部２９４においては、シリアルデータＤＳＡ１に電光変換処理を施し、シリアルデータＤＳＡ１に基づく、中心波長を、例えば、略１．３μｍとする光信号ＯＳＡ１を、ビット伝送レートを１．４８５Ｇｂｐｓとするものとして形成し、それを伝送信号として送出する。
【００９９】
また、データ処理部２９１から送出されるワード伝送レートを７４．２５ＭＢｐｓとする２０ビットワード列データＤＰＡ２（２０）〜ＤＰＡ４（２０）及びＤＰＢ１（２０）〜ＤＰＢ４（２０）は、夫々、データ挿入部２９５〜３０１に供給される。データ挿入部２９５〜３０１にあっては、２０ビットワード列データＤＰＡ２（２０）〜ＤＰＡ４（２０）及びＤＰＢ１（２０）〜ＤＰＢ４（２０）に、必要に応じたチャンネル識別データを含む補助データＤＡＡ２，ＤＡＡ３，ＤＡＡ４，ＤＡＢ１，ＤＡＢ２，ＤＡＢ３及びＤＡＢ４を挿入し、補助データが挿入された２０ビットワード列データＤＰＡ２’（２０）〜ＤＰＡ４’（２０）及びＤＰＢ１’（２０）〜ＤＰＢ４’（２０）を形成する。
【０１００】
データ挿入部２９５〜３０１から得られる２０ビットワード列データＤＰＡ２’（２０）〜ＤＰＡ４’（２０）及びＤＰＢ１’（２０）〜ＤＰＢ４’（２０）は、Ｐ／Ｓ変換部３０２〜３０８に供給される。
【０１０１】
Ｐ／Ｓ変換部３０２〜３０８にあっては、２０ビットワード列データＤＰＡ２’（２０）〜ＤＰＡ４’（２０）及びＤＰＢ１’（２０）〜ＤＰＢ４’（２０）にＰ／Ｓ変換を施して、それらに基づくビット伝送レートを７４．２５ＭＢｐｓ×２０＝１．４８５ＧｂｐｓとするシリアルデータＤＳＡ２〜ＤＳＡ４及びＤＳＢ１〜ＤＳＢ４を形成し、それらをＥ／Ｏ変換部３１０〜３１６に供給する。
【０１０２】
Ｅ／Ｏ変換部３１０〜３１６においては、シリアルデータＤＳＡ２〜ＤＳＡ４及びＤＳＢ１〜ＤＳＢ４に電光変換処理を施し、それらに基づく、中心波長を、例えば、略１．３μｍとする光信号ＯＳＡ２〜ＯＳＡ４及びＯＳＢ１〜ＯＳＢ４を、各々がビット伝送レートを１．４８５Ｇｂｐｓとするものとして形成し、それを伝送信号として送出する。
【０１０３】
Ｅ／Ｏ変換部２９４から送出される伝送信号である光信号ＯＳＡ１は、光コネクタ３２０を通じて光ファイバー伝送路３２１に導かれ、光ファイバー伝送路３２１を通じて受信側へと伝送される。また、Ｅ／Ｏ変換部３１０〜３１６から送出される伝送信号である光信号ＯＳＡ２〜ＯＳＡ４及びＯＳＢ１〜ＯＳＢ４は、夫々、光コネクタ３２２〜３２８を通じて光ファイバー伝送路３２９〜３３５に導かれ、光ファイバー伝送路３２９〜３３５を通じて受信側へと伝送される。光ファイバー伝送路３２１及び３２９〜３３５の夫々は、例えば、石英系ＳＭＦが用いられて形成される。
【０１０４】
受信側においては、光ファイバー伝送路３２１を通じて伝送された光信号ＯＳＡ１が、光コネクタ３３６を通じてＯ／Ｅ変換部３３７へと導かれる。また、光ファイバー伝送路３２９〜３３５を通じて伝送された光信号ＯＳＡ２〜ＯＳＡ４及びＯＳＢ１〜ＯＳＢ４が、夫々、光コネクタ３３９〜３４５を通じてＯ／Ｅ変換部３５０〜３５６へと導かれる。
【０１０５】
Ｏ／Ｅ変換部３３７にあっては、ビット伝送レートを１．４８５Ｇｂｐｓとし、中心波長を略１．３μｍとする光信号ＯＳＡ１に光電変換処理を施して、光信号ＯＳＡ１に基づく、ビット伝送レートを１．４８５ＧｂｐｓとするシリアルデータＤＳＡ１を再生する。そして、再生されたシリアルデータＤＳＡ１は、Ｓ／Ｐ変換部３６０に供給される。Ｓ／Ｐ変換部３６０にあっては、シリアルデータＤＳＡ１にＳ／Ｐ変換を施して、シリアルデータＤＳＡ１に基づく、ワード伝送レートを７４．２５ＭＢｐｓとする２０ビットワード列データＤＰＡ１’（２０）を再生し、それをデータ時間差吸収部３６１に供給する。
【０１０６】
また、Ｏ／Ｅ変換部３５０〜３５６にあっては、ビット伝送レートを１．４８５Ｇｂｐｓとし、中心波長を略１．３μｍとする光信号ＯＳＡ２〜ＯＳＡ４及びＯＳＢ１〜ＯＳＢ４に光電変換処理を施して、それらに基づく、ビット伝送レートを１．４８５ＧｂｐｓとするシリアルデータＤＳＡ２〜ＤＳＡ４及びＤＳＢ１〜ＤＳＢ４を再生する。そして、再生されたシリアルデータＤＳＡ２〜ＤＳＡ４及びＤＳＢ１〜ＤＳＢ４は、夫々、Ｓ／Ｐ変換部３６２〜３６８に供給される。Ｓ／Ｐ変換部３６２〜３６８にあっては、シリアルデータＤＳＡ２〜ＤＳＡ４及びＤＳＢ１〜ＤＳＢ４にＳ／Ｐ変換を施して、それらに基づく、ワード伝送レートを７４．２５ＭＢｐｓとする２０ビットワード列データＤＰＡ２’（２０）〜ＤＰＡ４’（２０）及びＤＰＢ１’（２０）〜ＤＰＢ４’（２０）を再生し、それらをデータ時間差吸収部３６１に供給する。
【０１０７】
データ時間差吸収部３６１にあっては、Ｓ／Ｐ変換部３６０からの２０ビットワード列データＤＰＡ１’（２０）及びＳ／Ｐ変換部３６２〜３６８からの２０ビットワード列データＤＰＡ２’（２０）〜ＤＰＡ４’（２０）及びＤＰＢ１’（２０）〜ＤＰＢ４’（２０）の間に生じた相互時間差を吸収し、２０ビットワード列データＤＰＡ１’（２０）に基づくワード伝送レートを７４．２５ＭＢｐｓとする２０ビットワード列データＤＰＡ１Ｑ’（２０）、及び、２０ビットワード列データＤＰＡ２’（２０）〜ＤＰＡ４’（２０）及びＤＰＢ１’（２０）〜ＤＰＢ４’（２０）に夫々基づく、ワード伝送レートを７４．２５ＭＢｐｓとする２０ビットワード列データＤＰＡ２Ｑ’（２０）〜ＤＰＡ４Ｑ’（２０）及びＤＰＢ１Ｑ’（２０）〜ＤＰＢ４Ｑ’（２０）を、相互時間差が実質的に無い状態に維持されることが目指されるものとして送出する。
【０１０８】
データ時間差吸収部３６１から得られる２０ビットワード列データＤＰＡ１Ｑ’（２０）は、データ分離部３７０に供給される。データ分離部３７０にあっては、２０ビットワード列データＤＰＡ１Ｑ’（２０）から、補助データＤＡＡ１が分離されて、２０ビットワード列データＤＰＡ１Ｑ（２０）と補助データＤＡＡ１とが個別に送出され、２０ビットワード列データＤＰＡ１Ｑ（２０）は、データ再生処理部３７１に供給される。
【０１０９】
また、データ時間差吸収部３６１から得られる２０ビットワード列データＤＰＡ２Ｑ’（２０）〜ＤＰＡ４Ｑ’（２０）及びＤＰＢ１Ｑ’（２０）〜ＤＰＢ４Ｑ’（２０）は、夫々、データ分離部３７２〜３７８に供給される。データ分離部３７２〜３７８にあっては、２０ビットワード列データＤＰＡ２Ｑ’（２０）〜ＤＰＡ４Ｑ’（２０）及びＤＰＢ１Ｑ’（２０）〜ＤＰＢ４Ｑ’（２０）から、補助データＤＡＡ２，ＤＡＡ３，ＤＡＡ４，ＤＡＢ１，ＤＡＢ２，ＤＡＢ３及びＤＡＢ４が分離されて、２０ビットワード列データＤＰＡ２Ｑ（２０）〜ＤＰＡ４Ｑ（２０）及びＤＰＢ１Ｑ（２０）〜ＤＰＢ４Ｑ（２０）と、補助データＤＡＡ２，ＤＡＡ３，ＤＡＡ４，ＤＡＢ１，ＤＡＢ２，ＤＡＢ３及びＤＡＢ４とが個別に送出され、２０ビットワード列データＤＰＡ２Ｑ（２０）〜ＤＰＡ４Ｑ（２０）及びＤＰＢ１Ｑ（２０）〜ＤＰＢ４Ｑ（２０）は、データ再生処理部３７１に供給される。
【０１１０】
データ再生処理部３７１にあっては、２０ビットワード列データＤＰＡ１Ｑ（２０）〜ＤＰＡ４Ｑ（２０）及びＤＰＢ１Ｑ（２０）〜ＤＰＢ４Ｑ（２０）に対して、送信側におけるデータ処理部２９１によりディジタルデータＤＶＸに施されるデータ変換処理とは逆のデータ再生処理を施し、２０ビットワード列データＤＰＡ１Ｑ（２０）〜ＤＰＡ４Ｑ（２０）及びＤＰＢ１Ｑ（２０）〜ＤＰＢ４Ｑ（２０）に基づくディジタルデータＤＶＸを再生する。斯かるディジタルデータＤＶＸは、図４において、ＤＡ１２，ＤＢ１２，ＤＣ１２，ＤＤ１０，ＤＥ１０，ＤＦ１０，ＤＤ１２，ＤＥ１２，ＤＦ１２，ＤＡ１４，ＤＢ１４，ＤＣ１４，ＤＡ１６，ＤＢ１６及びＤＣ１６として示されるデータとされる。
【０１１１】
なお、上述において、量子化ビット数を１２ビット以上とするディジタル映像信号を成すデータにおける、Ｙ信号データ系列及びＰB ／ＰR データ系列、もしくは、Ｇデータ系列，Ｂデータ系列及びＲデータ系列の夫々を構成する１２ビットワードの各々から分割された上位１０ビットの列に基づいて形成される２０ビットワード列データは、それらの各々が、例えば、現行のＨＤディジタル映像信号用の磁気記録再生機器（ＨＤ用ＶＴＲという）による記録及び再生を行うことが可能なものである。それゆえ、現行のＨＤ用ＶＴＲを使用して、斯かる２０ビットワード列データの内容の確認，編集等を行うことができ、さらには、現行のＨＤ用ＶＴＲと映像モニターとを使用して、斯かる２０ビットワード列データに基づく再生画像を得ることができ、それにより、量子化ビット数を１２ビット以上とするディジタル映像信号を成すデータを扱うに際して、現行の機器を用いて確認作業等を行うことができることになって、極めて都合がよい。
【０１１２】
図３１及び図３２は、本願の特許請求の範囲における請求項１，請求項４，請求項７，請求項１０，請求項１３及び請求項１６のいずれかに記載された発明に係るデータ伝送方法の例が実施される、本願の特許請求の範囲における請求項１９から請求項２１までのいずれかに記載された発明に係るデータ伝送装置の第２の例を含んだデータ送受装置の部分を示す。
【０１１３】
図３１及び図３２に部分が示されるデータ送受装置は、図５及び図６に示されるデータ送受装置と同様に構成される部分を多々有しており、図３１及び図３２には、図５及び図６に示されるデータ送受装置と異なる部分及びそれに関連する部分のみが示されている。
【０１１４】
図３１及び図３２に部分が示されるデータ送受装置にあっては、図５及び図６に示されるデータ送受装置において備えられているＥ／Ｏ変換部２９４及び３１０〜３１６とＯ／Ｅ変換部３３７及び３５０〜３５６とに代えて、Ｅ／Ｏ変換部３８５〜３８８とＯ／Ｅ変換部４０４〜４０７とを備えている。さらに、図５及び図６に示されるデータ送受装置において備えられている光コネクタ３２０及び３２２〜３２８，光ファイバー伝送路３２１及び３２９〜３３５、及び、光コネクタ３３６及び３３９〜３４５に代えて、光コネクタ３８９〜３９２，光ファイバー伝送路３９５〜３９８、及び、光コネクタ４００〜４０３を備えている。光ファイバー伝送路３９５〜３９８の夫々は、例えば、石英系ＳＭＦが用いられて形成される。
【０１１５】
斯かる図３１及び図３２に部分が示されるデータ送受装置においては、Ｐ／Ｓ変換部２９３からのビット伝送レートを１．４８５ＧｂｐｓとするシリアルデータＤＳＡ１とＰ／Ｓ変換部３０２からのビット伝送レートを１．４８５ＧｂｐｓとするシリアルデータＤＳＡ２とが、ビット多重部３８１に供給される。ビット多重部３８１にあっては、シリアルデータＤＳＡ１及びＤＳＡ２の夫々から１ビット宛を交互に取り出して順次配列する動作を行い、シリアルデータＤＳＡ１及びＤＳＡ２にビット多重合成処理を施して、ビット伝送レートを１．４８５Ｇｂｐｓ×２＝２．９７Ｇｂｐｓとする複合シリアルデータＤＺＡ１を形成する。
【０１１６】
ビット多重部３８１から得られる複合シリアルデータＤＺＡ１は、Ｅ／Ｏ変換部３８５に供給される。Ｅ／Ｏ変換部３８５にあっては、複合シリアルデータＤＺＡ１に基づく、中心波長を、例えば、略１．３μｍとする光信号ＯＺＡ１を、ビット伝送レートを２．９７Ｇｂｐｓとするものとして形成し、それを伝送信号として送出する。
【０１１７】
Ｐ／Ｓ変換部３０３からのビット伝送レートを１．４８５ＧｂｐｓとするシリアルデータＤＳＡ３とＰ／Ｓ変換部３０４からのビット伝送レートを１．４８５ＧｂｐｓとするシリアルデータＤＳＡ４とが、ビット多重部３８２に供給される。ビット多重部３８２にあっては、シリアルデータＤＳＡ３及びＤＳＡ４の夫々から１ビット宛を交互に取り出して順次配列する動作を行い、シリアルデータＤＳＡ３及びＤＳＡ４にビット多重合成処理を施して、ビット伝送レートを１．４８５Ｇｂｐｓ×２＝２．９７Ｇｂｐｓとする複合シリアルデータＤＺＡ２を形成する。
【０１１８】
ビット多重部３８２から得られる複合シリアルデータＤＺＡ２は、Ｅ／Ｏ変換部３８６に供給される。Ｅ／Ｏ変換部３８６にあっては、複合シリアルデータＤＺＡ２に基づく、中心波長を、例えば、略１．３μｍとする光信号ＯＺＡ２を、ビット伝送レートを２．９７Ｇｂｐｓとするものとして形成し、それを伝送信号として送出する。
【０１１９】
Ｐ／Ｓ変換部３０５からのビット伝送レートを１．４８５ＧｂｐｓとするシリアルデータＤＳＢ１とＰ／Ｓ変換部３０６からのビット伝送レートを１．４８５ＧｂｐｓとするシリアルデータＤＳＢ２とが、ビット多重部３８３に供給される。ビット多重部３８３にあっては、シリアルデータＤＳＢ１及びＤＳＢ２の夫々から１ビット宛を交互に取り出して順次配列する動作を行い、シリアルデータＤＳＢ１及びＤＳＢ２にビット多重合成処理を施して、ビット伝送レートを１．４８５Ｇｂｐｓ×２＝２．９７Ｇｂｐｓとする複合シリアルデータＤＺＢ１を形成する。
【０１２０】
ビット多重部３８３から得られる複合シリアルデータＤＺＢ１は、Ｅ／Ｏ変換部３８７に供給される。Ｅ／Ｏ変換部３８７にあっては、複合シリアルデータＤＺＢ１に基づく、中心波長を、例えば、略１．３μｍとする光信号ＯＺＢ１を、ビット伝送レートを２．９７Ｇｂｐｓとするものとして形成し、それを伝送信号として送出する。
【０１２１】
さらに、Ｐ／Ｓ変換部３０７からのビット伝送レートを１．４８５ＧｂｐｓとするシリアルデータＤＳＢ３とＰ／Ｓ変換部３０８からのビット伝送レートを１．４８５ＧｂｐｓとするシリアルデータＤＳＢ４とが、ビット多重部３８４に供給される。ビット多重部３８４にあっては、シリアルデータＤＳＢ３及びＤＳＢ４の夫々から１ビット宛を交互に取り出して順次配列する動作を行い、シリアルデータＤＳＢ３及びＤＳＢ４にビット多重合成処理を施して、ビット伝送レートを１．４８５Ｇｂｐｓ×２＝２．９７Ｇｂｐｓとする複合シリアルデータＤＺＢ２を形成する。
【０１２２】
ビット多重部３８４から得られる複合シリアルデータＤＺＢ２は、Ｅ／Ｏ変換部３８８に供給される。Ｅ／Ｏ変換部３８８にあっては、複合シリアルデータＤＺＢ２に基づく、中心波長を、例えば、略１．３μｍとする光信号ＯＺＢ２を、ビット伝送レートを２．９７Ｇｂｐｓとするものとして形成し、それを伝送信号として送出する。
【０１２３】
Ｅ／Ｏ変換部３８５から送出される伝送信号である光信号ＯＺＡ１は、光コネクタ３８９を通じて光ファイバー伝送路３９５に導かれ、光ファイバー伝送路３９５を通じて受信側へと伝送される。Ｅ／Ｏ変換部３８６から送出される伝送信号である光信号ＯＺＡ２は、光コネクタ３９０を通じて光ファイバー伝送路３９６に導かれ、光ファイバー伝送路３９６を通じて受信側へと伝送される。Ｅ／Ｏ変換部３８７から送出される伝送信号である光信号ＯＺＢ１は、光コネクタ３９１を通じて光ファイバー伝送路３９７に導かれ、光ファイバー伝送路３９７を通じて受信側へと伝送される。さらに、Ｅ／Ｏ変換部３８８から送出される伝送信号である光信号ＯＺＢ２は、光コネクタ３９２を通じて光ファイバー伝送路３９８に導かれ、光ファイバー伝送路３９８を通じて受信側へと伝送される。
【０１２４】
受信側においては、光ファイバー伝送路３９５を通じて伝送された光信号ＯＺＡ１が、光コネクタ４００を通じてＯ／Ｅ変換部４０４へと導かれる。光ファイバー伝送路３９６を通じて伝送された光信号ＯＺＡ２が、光コネクタ４０１を通じてＯ／Ｅ変換部４０５へと導かれる。光ファイバー伝送路３９７を通じて伝送された光信号ＯＺＢ１が、光コネクタ４０２を通じてＯ／Ｅ変換部４０６へと導かれる。さらに、光ファイバー伝送路３９８を通じて伝送された光信号ＯＺＢ２が、光コネクタ４０３を通じてＯ／Ｅ変換部４０７へと導かれる。
【０１２５】
Ｏ／Ｅ変換部４０４にあっては、中心波長を略１．３μｍとし、ビット伝送レートを２．９７Ｇｂｐｓとする光信号ＯＺＡ１に光電変換処理を施して、光信号ＯＺＡ１に基づく、ビット伝送レートを２．９７Ｇｂｐｓとする複合シリアルデータＤＺＡ１を再生する。そして、再生された複合シリアルデータＤＺＡ１は、ビット分離部４０８に供給される。
【０１２６】
ビット分離部４０８にあっては、複合シリアルデータＤＺＡ１から１ビットずつを取り出して、２個の一つ置きのビットグループを形成する動作を行い、複合シリアルデータＤＺＡ１にビット分離処理を施す。そして、複合シリアルデータＤＺＡ１に含まれたチャンネル識別データを利用してチャンネルを特定し、複合シリアルデータＤＺＡ１に基づく、各々がビット伝送レートを２．９７Ｇｂｐｓ／２＝１．４８５Ｇｂｐｓとする２チャンネルのシリアルデータＤＳＡ１及びＤＳＡ２を形成する。シリアルデータＤＳＡ１は、Ｓ／Ｐ変換部３６０に供給され、シリアルデータＤＳＡ２は、Ｓ／Ｐ変換部３６２に供給される。
【０１２７】
Ｏ／Ｅ変換部４０５にあっては、中心波長を略１．３μｍとし、ビット伝送レートを２．９７Ｇｂｐｓとする光信号ＯＺＡ２に光電変換処理を施して、光信号ＯＺＡ２に基づく、ビット伝送レートを２．９７Ｇｂｐｓとする複合シリアルデータＤＺＡ２を再生する。そして、再生された複合シリアルデータＤＺＡ２は、ビット分離部４０９に供給される。
【０１２８】
ビット分離部４０９にあっては、複合シリアルデータＤＺＡ２から１ビットずつを取り出して、２個の一つ置きのビットグループを形成する動作を行い、複合シリアルデータＤＺＡ２にビット分離処理を施す。そして、複合シリアルデータＤＺＡ２に含まれたチャンネル識別データを利用してチャンネルを特定し、複合シリアルデータＤＺＡ２に基づく、各々がビット伝送レートを２．９７Ｇｂｐｓ／２＝１．４８５Ｇｂｐｓとする２チャンネルのシリアルデータＤＳＡ３及びＤＳＡ４を形成する。シリアルデータＤＳＡ３は、Ｓ／Ｐ変換部３６３に供給され、シリアルデータＤＳＡ４は、Ｓ／Ｐ変換部３６４に供給される。
【０１２９】
Ｏ／Ｅ変換部４０６にあっては、中心波長を略１．３μｍとし、ビット伝送レートを２．９７Ｇｂｐｓとする光信号ＯＺＢ１に光電変換処理を施して、光信号ＯＺＢ１に基づく、ビット伝送レートを２．９７Ｇｂｐｓとする複合シリアルデータＤＺＢ１を再生する。そして、再生された複合シリアルデータＤＺＢ１は、ビット分離部４１０に供給される。
【０１３０】
ビット分離部４１０にあっては、複合シリアルデータＤＺＢ１から１ビットずつを取り出して、２個の一つ置きのビットグループを形成する動作を行い、複合シリアルデータＤＺＢ１にビット分離処理を施す。そして、複合シリアルデータＤＺＢ１に含まれたチャンネル識別データを利用してチャンネルを特定し、複合シリアルデータＤＺＢ１に基づく、各々がビット伝送レートを２．９７Ｇｂｐｓ／２＝１．４８５Ｇｂｐｓとする２チャンネルのシリアルデータＤＳＢ１及びＤＳＢ２を形成する。シリアルデータＤＳＢ１は、Ｓ／Ｐ変換部３６５に供給され、シリアルデータＤＳＢ２は、Ｓ／Ｐ変換部３６６に供給される。
【０１３１】
さらに、Ｏ／Ｅ変換部４０７にあっては、中心波長を略１．３μｍとし、ビット伝送レートを２．９７Ｇｂｐｓとする光信号ＯＺＢ２に光電変換処理を施して、光信号ＯＺＢ２に基づく、ビット伝送レートを２．９７Ｇｂｐｓとする複合シリアルデータＤＺＢ２を再生する。そして、再生された複合シリアルデータＤＺＢ２は、ビット分離部４１１に供給される。
【０１３２】
ビット分離部４１１にあっては、複合シリアルデータＤＺＢ２から１ビットずつを取り出して、２個の一つ置きのビットグループを形成する動作を行い、複合シリアルデータＤＺＢ２にビット分離処理を施す。そして、複合シリアルデータＤＺＢ２に含まれたチャンネル識別データを利用してチャンネルを特定し、複合シリアルデータＤＺＢ２に基づく、各々がビット伝送レートを２．９７Ｇｂｐｓ／２＝１．４８５Ｇｂｐｓとする２チャンネルのシリアルデータＤＳＢ３及びＤＳＢ４を形成する。シリアルデータＤＳＢ３は、Ｓ／Ｐ変換部３６７に供給され、シリアルデータＤＳＢ４は、Ｓ／Ｐ変換部３６８に供給される。
【０１３３】
その他の動作は、図５及び図６に部分が示されるデータ送受装置と同様である。
【０１３４】
図３３及び図３４は、本願の特許請求の範囲における請求項１，請求項４，請求項６，請求項７，請求項１０，請求項１２，請求項１３，請求項１６及び請求項１８のいずれかに記載された発明に係るデータ伝送方法の例が実施される、本願の特許請求の範囲における請求項１９から請求項２１までのいずれかに記載された発明に係るデータ伝送装置の第３の例を含んだデータ送受装置の部分を示す。
【０１３５】
図３３及び図３４に部分が示されるデータ送受装置は、図３１及び図３２に部分が示されるデータ送受装置と同様に構成される部分を多々有しており、図３３及び図３４には、図３１及び図３２に示されるデータ送受装置の部分における各ブロックに対応するブロックが、図３１及び図３２と共通の符号が付されて示されており、それらについての重複説明は省略される。
【０１３６】
図３３及び図３４に部分が示されるデータ送受装置においては、ビット多重部３８２からの、ビット伝送レートを２．９７Ｇｂｐｓとする複合シリアルデータＤＺＡ２が、Ｅ／Ｏ変換部４２０に供給される。Ｅ／Ｏ変換部４２０にあっては、複合シリアルデータＤＺＡ２に基づく、中心波長を、例えば、略１．５５μｍとする光信号ＯＺＡ2 を、ビット伝送レートを２．９７Ｇｂｐｓとするものとして形成する。
【０１３７】
また、ビット多重部３８４からの、ビット伝送レートを２．９７Ｇｂｐｓとする複合シリアルデータＤＺＢ２が、Ｅ／Ｏ変換部４２２に供給される。Ｅ／Ｏ変換部４２２にあっては、複合シリアルデータＤＺＢ２に基づく、中心波長を、例えば、略１．５５μｍとする光信号ＯＺＢ2 を、ビット伝送レートを２．９７Ｇｂｐｓとするものとして形成する。
【０１３８】
そして、Ｅ／Ｏ変換部３８５からの、中心波長を略１．３μｍとし、ビット伝送レートを２．９７Ｇｂｐｓとする光信号ＯＺＡ１と、Ｅ／Ｏ変換部４２０からの、中心波長を略１．５５μｍとし、ビット伝送レートを２．９７Ｇｂｐｓとする光信号ＯＺＡ２とは、合波部４２１へと導かれる。合波部４２１は、例えば、誘電体多層膜型ＷＤＭカップラによって形成される。そして、合波部４２１にあっては、中心波長を略１．３μｍとする光信号ＯＺＡ１と中心波長を略１．５５μｍとする光信号ＯＺＡ２とを合波して多重化し、多重光信号ＯＺＡを形成して、それを伝送信号として送出する。
【０１３９】
さらに、Ｅ／Ｏ変換部３８７からの、中心波長を略１．３μｍとし、ビット伝送レートを２．９７Ｇｂｐｓとする光信号ＯＺＢ１と、Ｅ／Ｏ変換部４２２からの、中心波長を略１．５５μｍとし、ビット伝送レートを２．９７Ｇｂｐｓとする光信号ＯＺＢ２とは、合波部４２３へと導かれる。合波部４２３は、例えば、誘電体多層膜型ＷＤＭカップラによって形成される。そして、合波部４２３にあっては、中心波長を略１．３μｍとする光信号ＯＺＢ１と中心波長を略１．５５μｍとする光信号ＯＺＢ２とを合波して多重化し、多重光信号ＯＺＢを形成して、それを伝送信号として送出する。
【０１４０】
合波部４２１から送出される伝送信号である多重光信号ＯＺＡは、光コネクタ４２４を通じて光ファイバー伝送路４２５に導かれ、光ファイバー伝送路４２５を通じて受信側へと伝送される。また、合波部４２３から送出される伝送信号である多重光信号ＯＺＢは、光コネクタ４２６を通じて光ファイバー伝送路４２７に導かれ、光ファイバー伝送路４２７を通じて受信側へと伝送される。光ファイバー伝送路４２５及び４２７は、例えば、石英系ＳＭＦが用いられて形成される。
【０１４１】
受信側においては、光ファイバー伝送路４２５を通じて伝送された多重光信号ＯＺＡが、光コネクタ４２８を通じて分波部４２９へと導かれる。また、光ファイバー伝送路４２７を通じて伝送された多重光信号ＯＺＢが、光コネクタ４３１を通じて分波部４３２へと導かれる。
【０１４２】
分波部４２９は、例えば、誘電体多層膜型ＷＤＭカップラが分波手段として用いられて形成される。そして、分波部４２９にあっては、多重光信号ＯＺＡを、中心波長を略１．３μｍとする成分と中心波長を略１．５５μｍとする成分とに分波して、ビット伝送レートを２．９７Ｇｂｐｓとし、中心波長を略１．３μｍとする光信号ＯＺＡ１と、ビット伝送レートを２．９７Ｇｂｐｓとし、中心波長を略１．５５μｍとする光信号ＯＺＡ２とを再生する。
【０１４３】
分波部４２９により再生された光信号ＯＺＡ１及びＯＺＡ２は、夫々、Ｏ／Ｅ変換部４０４及び４３０へと導かれる。Ｏ／Ｅ変換部４３０にあっては、中心波長を略１．５５μｍとし、ビット伝送レートを２．９７Ｇｂｐｓとする光信号ＯＺＡ２に光電変換処理を施して、光信号ＯＺＡ２に基づく、ビット伝送レートを２．９７Ｇｂｐｓとする複合シリアルデータＤＺＡ２を再生する。そして、再生された複合シリアルデータＤＺＡ２は、ビット分離部４０９に供給される。
【０１４４】
分波部４３２も、例えば、誘電体多層膜型ＷＤＭカップラが分波手段として用いられて形成される。そして、分波部４３２にあっては、多重光信号ＯＺＢを、中心波長を略１．３μｍとする成分と中心波長を略１．５５μｍとする成分とに分波して、ビット伝送レートを２．９７Ｇｂｐｓとし、中心波長を略１．３μｍとする光信号ＯＺＢ１と、ビット伝送レートを２．９７Ｇｂｐｓとし、中心波長を略１．５５μｍとする光信号ＯＺＢ２とを再生する。
【０１４５】
分波部４３２により再生された光信号ＯＺＢ１及びＯＺＢ２は、夫々、Ｏ／Ｅ変換部４０６及び４３３へと導かれる。Ｏ／Ｅ変換部４３３にあっては、中心波長を略１．５５μｍとし、ビット伝送レートを２．９７Ｇｂｐｓとする光信号ＯＺＢ２に光電変換処理を施して、光信号ＯＺＢ２に基づく、ビット伝送レートを２．９７Ｇｂｐｓとする複合シリアルデータＤＺＢ２を再生する。そして、再生された複合シリアルデータＤＺＢ２は、ビット分離部４１１に供給される。
【０１４６】
その他の動作は、図３１及び図３２に部分が示されるデータ送受装置と同様である。
【０１４７】
図３５及び図３６は、本願の特許請求の範囲における請求項１，請求項５，請求項７，請求項１１，請求項１３及び請求項１７のいずれかに記載された発明に係るデータ伝送方法の例が実施される、本願の特許請求の範囲における請求項１９から請求項２１までのいずれかに記載された発明に係るデータ伝送装置の第４の例を含んだデータ送受装置の部分を示す。
【０１４８】
図３５及び図３６に部分が示されるデータ送受装置は、図３３及び図３４に示されるデータ送受装置と同様に構成される部分を多々有しており、図３５及び図３６には、図３３及び図３４に示されるデータ送受装置と異なる部分及びそれに関連する部分のみが示されている。
【０１４９】
図３５及び図３６に部分が示されるデータ送受装置は、図３３及び図３４に示されるデータ送受装置において備えられているＥ／Ｏ変換部３８５，４２０，３８７及び４２２とＯ／Ｅ変換部４０４，４３０，４０６及び４３３とに代えて、Ｅ／Ｏ変換部３８５Ｃ，４２０Ｃ，３８７Ｃ及び４２２ＣとＯ／Ｅ変換部４０４Ｃ，４３０Ｃ，４０６Ｃ及び４３３Ｃとを備えている。さらに、図３３及び図３４に示されるデータ送受装置において備えられている合波部４２１及び４２３，光コネクタ４２４及び４２６，光ファイバー伝送路４２５及び４２７，光コネクタ４２８及び４３１、及び、分波部４２９及び４３２に代えて、合波部４４０，光コネクタ４４１，光ファイバー伝送路４４２，光コネクタ４４３及び分波部４４４を備えている。光ファイバー伝送路４４２は、例えば、石英系ＳＭＦが用いられて形成される。
【０１５０】
斯かる図３５及び図３６に部分が示されるデータ送受装置においては、ビット多重部３８１からのビット伝送レートを２．９７Ｇｂｐｓとする複合シリアルデータＤＺＡ１，ビット多重部３８２からのビット伝送レートを２．９７Ｇｂｐｓとする複合シリアルデータＤＺＡ２，ビット多重部３８３からのビット伝送レートを２．９７Ｇｂｐｓとする複合シリアルデータＤＺＢ１、及び、ビット多重部３８４からのビット伝送レートを２．９７Ｇｂｐｓとする複合シリアルデータＤＺＢ２が、Ｅ／Ｏ変換部３８５Ｃ，４２０Ｃ，３８７Ｃ及び４２２Ｃに、夫々、供給される。
【０１５１】
Ｅ／Ｏ変換部３８５Ｃは、複合シリアルデータＤＺＡ１に基づく、中心波長を、例えば、略１．５１１μｍとする光信号ＯＺＣＡ１を、ビット伝送レートを２．９７Ｇｂｐｓとするものとして形成し、それを合波部４４０に導く。Ｅ／Ｏ変換部４２０Ｃは、複合シリアルデータＤＺＡ２に基づく、中心波長を、例えば、略１．５３１μｍとする光信号ＯＺＣＡ２を、ビット伝送レートを２．９７Ｇｂｐｓとするものとして形成し、それを合波部４４０に導く。Ｅ／Ｏ変換部３８７Ｃは、複合シリアルデータＤＺＢ１に基づく、中心波長を、例えば、略１．５５１μｍとする光信号ＯＺＣＢ１を、ビット伝送レートを２．９７Ｇｂｐｓとするものとして形成し、それを合波部４４０に導く。さらに、Ｅ／Ｏ変換部４２２Ｃは、複合シリアルデータＤＺＢ２に基づく、中心波長を、例えば、略１．５７１μｍとする光信号ＯＺＣＢ２を、ビット伝送レートを２．９７Ｇｂｐｓとするものとして形成し、それを合波部４４０に導く。
【０１５２】
合波部４４０は、中心波長を略１．５１１μｍとする光信号ＯＺＣＡ１と中心波長を略１．５３１μｍとする光信号ＯＺＣＡ２と中心波長を略１．５５１μｍとする光信号ＯＺＣＢ１と中心波長を略１．５７１μｍとする光信号ＯＺＣＢ２とを合波して多重化し、多重光信号ＯＺＣＹを形成して、それを伝送信号として送出する。
【０１５３】
このようにして、合波部４４０において多重化される光信号ＯＺＣＡ１，ＯＺＣＡ２，ＯＺＣＢ１及びＯＺＣＢ２は、略０．０２０μｍの波長間隔をおいて順次近接する中心波長を有しており、従って、それらの中心波長が略０．０２０μｍ（２０ｎｍ）ずつ隔たっているに過ぎない相互に極めて近接した波長を有するもとで多重化されて、多重光信号ＯＺＣＹを形成するものとされている。そして、Ｅ／Ｏ変換部３８５Ｃ，４２０Ｃ，３８７及び４２２Ｃと合波部４４０とを含む部分においては、Coase Wavelength Division Multiplexing (CWDM) と称される波長多重技術が用いられている。
【０１５４】
合波部４４０から送出される伝送信号である多重光信号ＯＺＣＹは、光コネ  クタ４４１を通じて光ファイバー伝送路４４２に導かれ、光ファイバー伝送路４４２を通じて受信側へと伝送される。
【０１５５】
受信側においては、光ファイバー伝送路４４２を通じて伝送された多重光信号ＯＺＣＹが、光コネクタ４４３を通じて分波部４４４へと導かれる。分波部４４４は、多重光信号ＯＺＣＹを、中心波長を略１．５１１μｍとする成分と中心波長を略１．５３１μｍとする成分と中心波長を略１．５５１μｍとする成分と中心波長を略１．５７１μｍとする成分とに分波して、ビット伝送レートを２．９７Ｇｂｐｓとし、中心波長を略１．５１１μｍとする光信号ＯＺＣＡ１と、ビット伝送レートを２．９７Ｇｂｐｓとし、中心波長を略１．５３１μｍとする光信号ＯＺＣＡ２と、ビット伝送レートを２．９７Ｇｂｐｓとし、中心波長を略１．５５１μｍとする光信号ＯＺＣＢ１と、ビット伝送レートを２．９７Ｇｂｐｓとし、中心波長を略１．５７１μｍとする光信号ＯＺＣＢ２とを再生する。
【０１５６】
分波部４４４により再生された光信号ＯＺＣＡ１，ＯＺＣＡ２，ＯＺＣＢ１及びＯＺＣＢ２は、夫々、Ｏ／Ｅ変換部４０４Ｃ，４３０Ｃ，４０６Ｃ及び４３３Ｃへ導かれる。Ｏ／Ｅ変換部４０４Ｃは、中心波長を略１．５１１μｍとし、ビット伝送レートを２．９７Ｇｂｐｓとする光信号ＯＺＣＡ１に光電変換処理を施して、光信号ＯＺＣＡ１に基づく、ビット伝送レートを２．９７Ｇｂｐｓとする複合シリアルデータＤＺＡ１を再生する。Ｏ／Ｅ変換部４３０Ｃは、中心波長を略１．５３１μｍとし、ビット伝送レートを２．９７Ｇｂｐｓとする光信号ＯＺＣＡ２に光電変換処理を施して、光信号ＯＺＣＡ２に基づく、ビット伝送レートを２．９７Ｇｂｐｓとする複合シリアルデータＤＺＡ２を再生する。Ｏ／Ｅ変換部４０６Ｃは、中心波長を略１．５５１μｍとし、ビット伝送レートを２．９７Ｇｂｐｓとする光信号ＯＺＣＢ１に光電変換処理を施して、光信号ＯＺＣＢ１に基づく、ビット伝送レートを２．９７Ｇｂｐｓとする複合シリアルデータＤＺＢ１を再生する。さらに、Ｏ／Ｅ変換部４３３Ｃは、中心波長を略１．５７１μｍとし、ビット伝送レートを２．９７Ｇｂｐｓとする光信号ＯＺＣＢ２に光電変換処理を施して、光信号ＯＺＣＢ２に基づく、ビット伝送レートを２．９７Ｇｂｐｓとする複合シリアルデータＤＺＢ２を再生する。
【０１５７】
Ｏ／Ｅ変換部４０４Ｃ，４３０Ｃ，４０６Ｃ及び４３３Ｃにより再生された複合シリアルデータＤＺＡ１，ＤＺＡ２，ＤＺＢ１及びＤＺＢ２は、夫々、ビット分離部４０８，４０９，４１０及び４１１に供給される。その他の動作は、図３３及び図３４に示されるデータ送受装置の場合と同様である。
【０１５８】
図３７及び図３８は、本願の特許請求の範囲における請求項１〜請求項３，請求項７〜請求項９及び請求項１３〜請求項１５のいずれかに記載された発明に係るデータ伝送方法の例が実施される、本願の特許請求の範囲における請求項１９〜請求項２１のいずれかに記載された発明に係るデータ伝送装置の第５の例を含んだデータ送受装置の部分を示す。
【０１５９】
図３７及び図３８に部分が示されるデータ送受装置は、図５及び図６に示されるデータ送受装置と同様に構成される部分を多々有しており、図３７及び図３８には、図５及び図６に示されるデータ送受装置と異なる部分及びそれに関連する部分のみが示されている。
【０１６０】
図３７及び図３８に部分が示されるデータ送受装置にあっては、図５及び図６に示されるデータ送受装置において備えられているＥ／Ｏ変換部２９４及び３１０〜３１６と、Ｏ／Ｅ変換部３３７及び３５０〜３５６とに代えて、Ｅ／Ｏ変換部２９４Ｃ及び３１０Ｃ〜３１６Ｃと、Ｏ／Ｅ変換部３３７Ｃ及び３５０Ｃ〜３５６Ｃとを備えている。さらに、図５及び図６に示されるデータ送受装置において備えられている光コネクタ３２０及び３２２〜３２８，光ファイバー伝送路３２１及び３２９〜３３５、及び、光コネクタ３３６及び３３９〜３４５に代えて、合波部４４５，光コネクタ４４６，光ファイバー伝送路４４７，光コネクタ４４８及び分波部４４９を備えている。光ファイバー伝送路４４７は、例えば、石英系ＳＭＦが用いられて形成される。
【０１６１】
斯かる図３７及び図３８に部分が示されるデータ送受装置においては、Ｐ／Ｓ変換部２９３からのビット伝送レートを１．４８５ＧｂｐｓとするシリアルデータＤＳＡ１，Ｐ／Ｓ変換部３０２からのビット伝送レートを１．４８５ＧｂｐｓとするシリアルデータＤＳＡ２，Ｐ／Ｓ変換部３０３からのビット伝送レートを１．４８５ＧｂｐｓとするシリアルデータＤＳＡ３，Ｐ／Ｓ変換部３０４からのビット伝送レートを１．４８５ＧｂｐｓとするシリアルデータＤＳＡ４，Ｐ／Ｓ変換部３０５からのビット伝送レートを１．４８５ＧｂｐｓとするシリアルデータＤＳＢ１，Ｐ／Ｓ変換部３０６からのビット伝送レートを１．４８５ＧｂｐｓとするシリアルデータＤＳＢ２，Ｐ／Ｓ変換部３０７からのビット伝送レートを１．４８５ＧｂｐｓとするシリアルデータＤＳＢ３、及び、Ｐ／Ｓ変換部３０８からのビット伝送レートを１．４８５ＧｂｐｓとするシリアルデータＤＳＢ４が、Ｅ／Ｏ変換部２９４Ｃ及び３１０Ｃ〜３１６Ｃに夫々供給される。
【０１６２】
Ｅ／Ｏ変換部２９４Ｃは、シリアルデータＤＳＡ１に基づく、中心波長を、例えば、略１．４７１μｍとする光信号ＯＳＣＡ１を、ビット伝送レートを１．４８５Ｇｂｐｓとするものとして形成し、それを合波部４４５へと導く。Ｅ／Ｏ変換部３１０Ｃは、シリアルデータＤＳＡ２に基づく、中心波長を、例えば、略１．４９１μｍとする光信号ＯＳＣＡ２を、ビット伝送レートを１．４８５Ｇｂｐｓとするものとして形成し、それを合波部４４５へと導く。Ｅ／Ｏ変換部３１１Ｃは、シリアルデータＤＳＡ３に基づく、中心波長を、例えば、略１．５１１μｍとする光信号ＯＳＣＡ３を、ビット伝送レートを１．４８５Ｇｂｐｓとするものとして形成し、それを合波部４４５へと導く。Ｅ／Ｏ変換部３１２Ｃは、シリアルデータＤＳＡ４に基づく、中心波長を、例えば、略１．５３１μｍとする光信号ＯＳＣＡ４を、ビット伝送レートを１．４８５Ｇｂｐｓとするものとして形成し、それを合波部４４５へと導く。Ｅ／Ｏ変換部３１３Ｃは、シリアルデータＤＳＢ１に基づく、中心波長を、例えば、略１．５５１μｍとする光信号ＯＳＣＢ１を、ビット伝送レートを１．４８５Ｇｂｐｓとするものとして形成し、それを合波部４４５へと導く。Ｅ／Ｏ変換部３１４Ｃは、シリアルデータＤＳＢ２に基づく、中心波長を、例えば、略１．５７１μｍとする光信号ＯＳＣＢ２を、ビット伝送レートを１．４８５Ｇｂｐｓとするものとして形成し、それを合波部４４５へと導く。Ｅ／Ｏ変換部３１５Ｃは、シリアルデータＤＳＢ３に基づく、中心波長を、例えば、略１．５９１μｍとする光信号ＯＳＣＢ３を、ビット伝送レートを１．４８５Ｇｂｐｓとするものとして形成し、それを合波部４４５へと導く。さらに、Ｅ／Ｏ変換部３１６Ｃは、シリアルデータＤＳＢ４に基づく、中心波長を、例えば、略１．６１１μｍとする光信号ＯＳＣＢ４を、ビット伝送レートを１．４８５Ｇｂｐｓとするものとして形成し、それを合波部４４５へと導く。
【０１６３】
合波部４４５は、中心波長を略１．４７１μｍとする光信号ＯＳＣＡ１，中心波長を略１．４９１μｍとする光信号ＯＳＣＡ２，中心波長を略１．５１１μｍとする光信号ＯＳＣＡ３，中心波長を略１．５３１μｍとする光信号ＯＳＣＡ４，中心波長を略１．５５１μｍとする光信号ＯＳＣＢ１，中心波長を略１．５７１μｍとする光信号ＯＳＣＢ２，中心波長を略１．５９１μｍとする光信号ＯＳＣＢ３、及び、中心波長を略１．６１１μｍとする光信号ＯＳＣＢ４を合波して多重化し、多重光信号ＯＺＣＺを形成して、それを伝送信号として送出する。
【０１６４】
このようにして、合波部４４５において多重化される光信号ＯＳＣＡ１，ＯＳＣＡ２，ＯＳＣＡ３，ＯＳＣＡ４，ＯＳＣＢ１，ＯＳＣＢ２，ＯＳＣＢ３及びＯＳＣＢ４は、略０．０２０μｍの波長間隔をおいて順次近接する中心波長を有しており、従って、それらの中心波長が略０．０２０μｍ（２０ｎｍ）ずつ隔たっているに過ぎない相互に極めて近接した波長を有するもとで多重化されて、多重光信号ＯＺＣＺを形成するものとされている。そして、Ｅ／Ｏ変換部２９４Ｃ及び３１０Ｃ〜３１６Ｃと合波部４４５とを含む部分においては、Coase Wavelength Division Multiplexing (CWDM) と称される波長多重技術が用いられている。
【０１６５】
合波部４４５から送出される伝送信号である多重光信号ＯＺＣＺは、光コネ  クタ４４６を通じて光ファイバー伝送路４４７に導かれ、光ファイバー伝送路４４７を通じて受信側へと伝送される。
【０１６６】
受信側においては、光ファイバー伝送路４４７を通じて伝送された多重光信号ＯＺＣＺが、光コネクタ４４８を通じて分波部４４９へと導かれる。分波部４４９は、多重光信号ＯＺＣＺを、中心波長を略１．４７１μｍとする成分，中心波長を略１．４９１μｍとする成分，中心波長を略１．５１１μｍとする成分，中心波長を略１．５３１μｍとする成分，中心波長を略１．５５１μｍとする成分，中心波長を略１．５７１μｍとする成分，中心波長を略１．５９１μｍとする成分及び中心波長を略１．６１１μｍとする成分に分波して、ビット伝送レートを１．４８５Ｇｂｐｓとし、中心波長を略１．４７１μｍとする光信号ＯＳＣＡ１，ビット伝送レートを１．４８５Ｇｂｐｓとし、中心波長を略１．４９１μｍとする光信号ＯＳＣＡ２，ビット伝送レートを１．４８５Ｇｂｐｓとし、中心波長を略１．５１１μｍとする光信号ＯＳＣＡ３，ビット伝送レートを１．４８５Ｇｂｐｓとし、中心波長を略１．５３１μｍとする光信号ＯＳＣＡ４，ビット伝送レートを１．４８５Ｇｂｐｓとし、中心波長を略１．５５１μｍとする光信号ＯＳＣＢ１，ビット伝送レートを１．４８５Ｇｂｐｓとし、中心波長を略１．５７１μｍとする光信号ＯＳＣＢ２，ビット伝送レートを１．４８５Ｇｂｐｓとし、中心波長を略１．５９１μｍとする光信号ＯＳＣＢ３及びビット伝送レートを１．４８５Ｇｂｐｓとし、中心波長を略１．６１１μｍとする光信号ＯＳＣＢ４とを再生する。
【０１６７】
分波部４４９により再生された光信号ＯＳＣＡ１，ＯＳＣＡ２，ＯＳＣＡ３，ＯＳＣＡ４，ＯＳＣＢ１，ＯＳＣＢ２，ＯＳＣＢ３及びＯＳＣＢ４は、夫々、Ｏ／Ｅ変換部３３７Ｃ及び３５０Ｃ〜３５６Ｃへ導かれる。
【０１６８】
Ｏ／Ｅ変換部３３７Ｃは、中心波長を略１．４７１μｍとし、ビット伝送レートを１．４８５Ｇｂｐｓとする光信号ＯＳＣＡ１に光電変換処理を施して、光信号ＯＳＣＡ１に基づく、ビット伝送レートを１．４８５ＧｂｐｓとするシリアルデータＤＳＡ１を再生する。Ｏ／Ｅ変換部３５０Ｃは、中心波長を略１．４９１μｍとし、ビット伝送レートを１．４８５Ｇｂｐｓとする光信号ＯＳＣＡ２に光電変換処理を施して、光信号ＯＳＣＡ２に基づく、ビット伝送レートを１．４８５ＧｂｐｓとするシリアルデータＤＳＡ２を再生する。Ｏ／Ｅ変換部３５１Ｃは、中心波長を略１．５１１μｍとし、ビット伝送レートを１．４８５Ｇｂｐｓとする光信号ＯＳＣＡ３に光電変換処理を施して、光信号ＯＳＣＡ３に基づく、ビット伝送レートを１．４８５ＧｂｐｓとするシリアルデータＤＳＡ３を再生する。Ｏ／Ｅ変換部３５２Ｃは、中心波長を略１．５３１μｍとし、ビット伝送レートを１．４８５Ｇｂｐｓとする光信号ＯＳＣＡ４に光電変換処理を施して、光信号ＯＳＣＡ４に基づく、ビット伝送レートを１．４８５ＧｂｐｓとするシリアルデータＤＳＡ４を再生する。
【０１６９】
また、Ｏ／Ｅ変換部３５３Ｃは、中心波長を略１．５５１μｍとし、ビット伝送レートを１．４８５Ｇｂｐｓとする光信号ＯＳＣＢ１に光電変換処理を施して、光信号ＯＳＣＢ１に基づく、ビット伝送レートを１．４８５ＧｂｐｓとするシリアルデータＤＳＢ１を再生する。Ｏ／Ｅ変換部３５４Ｃは、中心波長を略１．５７１μｍとし、ビット伝送レートを１．４８５Ｇｂｐｓとする光信号ＯＳＣＢ２に光電変換処理を施して、光信号ＯＳＣＢ２に基づく、ビット伝送レートを１．４８５ＧｂｐｓとするシリアルデータＤＳＢ２を再生する。Ｏ／Ｅ変換部３５５Ｃは、中心波長を略１．５９１μｍとし、ビット伝送レートを１．４８５Ｇｂｐｓとする光信号ＯＳＣＢ３に光電変換処理を施して、光信号ＯＳＣＢ３に基づく、ビット伝送レートを１．４８５ＧｂｐｓとするシリアルデータＤＳＢ３を再生する。Ｏ／Ｅ変換部３５６Ｃは、中心波長を略１．６１１μｍとし、ビット伝送レートを１．４８５Ｇｂｐｓとする光信号ＯＳＣＢ４に光電変換処理を施して、光信号ＯＳＣＢ４に基づく、ビット伝送レートを１．４８５ＧｂｐｓとするシリアルデータＤＳＢ４を再生する。
【０１７０】
Ｏ／Ｅ変換部３３７Ｃ及び３５０Ｃ〜３５６Ｃにより再生されたシリアルデータＤＳＡ１，ＤＳＡ２，ＤＳＡ３，ＤＳＡ４，ＤＳＢ１，ＤＳＢ２，ＤＳＢ３及びＤＳＢ４は、夫々、Ｓ／Ｐ変換部３６０及び３６２〜３６８に供給される。その他の動作は、図５及び図６に示されるデータ送受装置の場合と同様である。
【０１７３】
【発明の効果】
以上の説明から明らかな如く、本願の特許請求の範囲における請求項１から請求項１８までのいずれかに記載された発明に係るデータ伝送方法、あるいは、請求項１９から請求項２１までのいずれかに記載された発明に係るデータ伝送装置にあっては、量子化ビット数を、１０ビット，１２ビット，１４ビットもしくは１６ビットとし、フレームあたりの有効ライン数が１６００以上で２２５０以下の数値に設定されるとともに、ラインあたりの有効データサンプル数が３４００以上で４４００以下の数値に設定されるディジタル映像信号を成すディジタルデータを、各々が従前の量子化ビット数を８ビットもしくは１０ビットとするＨＤディジタル映像信号を成すディジタルデータとの互換性がとれていることになる複数のワード列データに分割し、さらに、斯かる複数のワード列データの夫々をシリアルデータに変換したうえで伝送することになる。
【０１７４】
従って、本願の特許請求の範囲における請求項１から請求項１８までのいずれかに記載された発明に係るデータ伝送方法、あるいは、請求項１９から請求項２１までのいずれかに記載された発明に係るデータ伝送装置によれば、量子化ビット数を、１０ビット，１２ビット，１４ビットもしくは１６ビットとし、フレームあたりの有効ライン数が１６００以上で２２５０以下の数値に設定されるとともに、ラインあたりの有効データサンプル数が３４００以上で４４００以下の数値に設定される２ｋ×４ｋ信号等のディジタル映像信号を成すディジタルデータのシリアル伝送を、例えば、HD SDIに従ったシリアル伝送に用いられる現存する回路構成要素を利用して、適切に行うことができることになる。
【図面の簡単な説明】
【図１】  本願の特許請求の範囲における請求項７から請求項１２までのいずれかに記載された発明に係るデータ伝送方法の例が実施される、本願の特許請求の範囲における請求項２０に記載された発明に係るデータ伝送装置の例において扱われるディジタル映像信号を成すディジタルデータのデータフォーマットを示す概念図である。
【図２】  本願の特許請求の範囲における請求項１から請求項１８までのいずれかに記載された発明に係るデータ伝送方法の例が実施される、本願の特許請求の範囲における請求項１９から請求項２１までのいずれかに記載された発明に係るデータ伝送装置の例において扱われるディジタル映像信号を成すディジタルデータにおける禁止コードの説明に供される表図である。
【図３】  本願の特許請求の範囲における請求項１から請求項６まで、あるいは、請求項１３から請求項１８までのいずれかに記載された発明に係るデータ伝送方法の例が実施される、本願の特許請求の範囲における請求項１９あるいは請求項２１に記載された発明に係るデータ伝送装置の例において扱われるディジタル映像信号を成すディジタルデータのデータフォーマットを示す概念図である。
【図４】  本願の特許請求の範囲における請求項１から請求項１８までのいずれかに記載された発明に係るデータ伝送方法の例が実施される、本願の特許請求の範囲における請求項１９から請求項２１までのいずれかに記載された発明に係るデータ伝送装置の例において扱われるディジタル映像信号を成すディジタルデータの説明に供される表図である。
【図５】  本願の特許請求の範囲における請求項１，請求項２，請求項７，請求項８，請求項１３及び請求項１４のいずれかに記載された発明に係るデータ伝送方法の例が実施される、本願の特許請求の範囲における請求項１９から請求項２１までのいずれかに記載された発明に係るデータ伝送装置の第１の例を含んだデータ送受装置の部分を示すブロック接続図である。
【図６】  本願の特許請求の範囲における請求項１，請求項２，請求項７，請求項８，請求項１３及び請求項１４のいずれかに記載された発明に係るデータ伝送方法の例が実施される、本願の特許請求の範囲における請求項１９から請求項２１までのいずれかに記載された発明に係るデータ伝送装置の第１の例を含んだデータ送受装置の部分を示すブロック接続図である。
【図７】  図５及び図６に示されるデータ送受装置におけるデータ処理部の動作説明に供されるデータをあらわす概念図である。
【図８】  図５及び図６に示されるデータ送受装置におけるデータ処理部の動作説明に供されるデータをあらわす概念図である。
【図９】  図５及び図６に示されるデータ送受装置におけるデータ処理部の動作説明に供されるデータをあらわす概念図である。
【図１０】  図５及び図６に示されるデータ送受装置におけるデータ処理部の動作説明に供されるデータをあらわす概念図である。
【図１１】  図５及び図６に示されるデータ送受装置におけるデータ処理部の動作説明に供されるデータをあらわす概念図である。
【図１２】  図５及び図６に示されるデータ送受装置におけるデータ処理部の動作説明に供されるデータをあらわす概念図である。
【図１３】  図５及び図６に示されるデータ送受装置におけるデータ処理部の動作説明に供されるデータをあらわす概念図である。
【図１４】  図５及び図６に示されるデータ送受装置におけるデータ処理部の動作説明に供されるデータをあらわす概念図である。
【図１５】  図５及び図６に示されるデータ送受装置におけるデータ処理部の動作説明に供されるデータをあらわす概念図である。
【図１６】  図５及び図６に示されるデータ送受装置におけるデータ処理部の動作説明に供されるデータをあらわす概念図である。
【図１７】  図５及び図６に示されるデータ送受装置におけるデータ処理部の動作説明に供されるデータをあらわす概念図である。
【図１８】  図５及び図６に示されるデータ送受装置におけるデータ処理部の動作説明に供されるデータをあらわす概念図である。
【図１９】  図５及び図６に示されるデータ送受装置におけるデータ処理部の動作説明に供されるデータをあらわす概念図である。
【図２０】  図５及び図６に示されるデータ送受装置におけるデータ処理部の動作説明に供されるデータをあらわす概念図である。
【図２１】  図５及び図６に示されるデータ送受装置におけるデータ処理部の動作説明に供されるデータをあらわす概念図である。
【図２２】  図５及び図６に示されるデータ送受装置におけるデータ処理部の動作説明に供されるデータをあらわす概念図である。
【図２３】  図５及び図６に示されるデータ送受装置におけるデータ処理部の動作説明に供されるデータをあらわす概念図である。
【図２４】  図５及び図６に示されるデータ送受装置におけるデータ処理部の動作説明に供されるデータをあらわす概念図である。
【図２５】  図５及び図６に示されるデータ送受装置におけるデータ処理部の動作説明に供されるデータをあらわす概念図である。
【図２６】  図５及び図６に示されるデータ送受装置におけるデータ処理部の動作説明に供されるデータをあらわす概念図である。
【図２７】  図５及び図６に示されるデータ送受装置におけるデータ処理部の動作説明に供されるデータをあらわす概念図である。
【図２８】  図５及び図６に示されるデータ送受装置におけるデータ処理部の動作説明に供されるデータをあらわす概念図である。
【図２９】  図５及び図６に示されるデータ送受装置におけるデータ処理部の動作説明に供されるデータをあらわす概念図である。
【図３０】  図５及び図６に示されるデータ送受装置におけるデータ処理部の動作説明に供されるデータをあらわす概念図である。
【図３１】  本願の特許請求の範囲における請求項１，請求項４，請求項７，請求項１０，請求項１３及び請求項１６のいずれかに記載された発明に係るデータ伝送方法の例が実施される、本願の特許請求の範囲における請求項１９から請求項２１までのいずれかに記載された発明に係るデータ伝送装置の第２の例を含んだデータ送受装置の部分を示すブロック接続図である。
【図３２】  本願の特許請求の範囲における請求項１，請求項４，請求項７，請求項１０，請求項１３及び請求項１６のいずれかに記載された発明に係るデータ伝送方法の例が実施される、本願の特許請求の範囲における請求項１９から請求項２１までのいずれかに記載された発明に係るデータ伝送装置の第２の例を含んだデータ送受装置の部分を示すブロック接続図である。
【図３３】  本願の特許請求の範囲における請求項１，請求項４，請求項６，請求項７，請求項１０，請求項１２，請求項１３，請求項１６及び請求項１８のいずれかに記載された発明に係るデータ伝送方法の例が実施される、本願の特許請求の範囲における請求項１９から請求項２１までのいずれかに記載された発明に係るデータ伝送装置の第３の例を含んだデータ送受装置の部分を示すブロック接続図である。
【図３４】  本願の特許請求の範囲における請求項１，請求項４，請求項６，請求項７，請求項１０，請求項１２，請求項１３，請求項１６及び請求項１８のいずれかに記載された発明に係るデータ伝送方法の例が実施される、本願の特許請求の範囲における請求項１９から請求項２１までのいずれかに記載された発明に係るデータ伝送装置の第３の例を含んだデータ送受装置の部分を示すブロック接続図である。
【図３５】  本願の特許請求の範囲における請求項１，請求項５，請求項７，請求項１１，請求項１３及び請求項１７のいずれかに記載された発明に係るデータ伝送方法の例が実施される、本願の特許請求の範囲における請求項１９から請求項２１までのいずれかに記載された発明に係るデータ伝送装置の第４の例を含んだデータ送受装置の部分を示すブロック接続図である。
【図３６】  本願の特許請求の範囲における請求項１，請求項５，請求項７，請求項１１，請求項１３及び請求項１７のいずれかに記載された発明に係るデータ伝送方法の例が実施される、本願の特許請求の範囲における請求項１９から請求項２１までのいずれかに記載された発明に係るデータ伝送装置の第４の例を含んだデータ送受装置の部分を示すブロック接続図である。
【図３７】  本願の特許請求の範囲における請求項１〜請求項３，請求項７〜請求項９及び請求項１３〜請求項１５のいずれかに記載された発明に係るデータ伝送方法の例が実施される、本願の特許請求の範囲における請求項１９から請求項２１までのいずれかに記載された発明に係るデータ伝送装置の第５の例を含んだデータ送受装置の部分を示すブロック接続図である。
【図３８】  本願の特許請求の範囲における請求項１〜請求項３，請求項７〜請求項９及び請求項１３〜請求項１５のいずれかに記載された発明に係るデータ伝送方法の例が実施される、本願の特許請求の範囲における請求項１９から請求項２１までのいずれかに記載された発明に係るデータ伝送装置の第５の例を含んだデータ送受装置の部分を示すブロック接続図である。
【図３９】  ＨＤディジタル映像信号のデータフォーマットの一例の説明に供される概念図である。
【図４０】  ＨＤディジタル映像信号のデータフォーマットの一例の説明に供される概念図である。
【符号の説明】
２９１・・・データ処理部，  ２９２，２９５〜３０１・・・データ挿入部，  ２９３，３０２〜３０８・・・Ｐ／Ｓ変換部，  ２９４，３１０〜３１６，３８５〜３８８，４２０，４２２，１２４Ｃ，１２７Ｃ，１３０Ｃ，１３３Ｃ，２９４Ｃ，３１０Ｃ〜３１６Ｃ，３８５Ｃ，３８７Ｃ，４２０Ｃ，４２２Ｃ・・・Ｅ／Ｏ変換部，  ３２０，３２２〜３２８，３３６，３３９〜３４５，３８９〜３９２，４００〜４０３，４２４，４２６，４２８，４３１，４４１，４４３，４４６，４４８・・・光コネクタ，  ３２１，３２９〜３３５，３９５〜３９８，４２５，４２７，４４２，４４７・・・光ファイバー伝送路，  ３３７，３５０〜３５６，４０４〜４０７，４３０，４３３，３３７Ｃ，３５０Ｃ〜３５６Ｃ，４０４Ｃ，４０６Ｃ，４３０Ｃ，４３３Ｃ，・・・Ｏ／Ｅ変換部，  ３６０，３６２〜３６８・・・Ｓ／Ｐ変換部，  ３６１・・・データ時間差吸収部，  ３７０，３７２〜３７８・・・データ分離部，  ３７１・・・データ再生処理部，  ３８１〜３８４・・・ビット多重部，  ４０８〜４１１・・・ビット分離部，  ４２１，４２３，４４０，４４５・・・合波部，  ４２９，４３２，４４４，４４９・・・分波部
【図１】
0003975775.tif 000002
【図２】
0003975775.tif 000003
【図３】
0003975775.tif 000004
【図４】
0003975775.tif 000005
【図５】
0003975775.tif 000006
【図６】
0003975775.tif 000007
【図７】
0003975775.tif 000008
【図８】
0003975775.tif 000009
【図９】
0003975775.tif 000010
【図１０】
0003975775.tif 000011
【図１１】
0003975775.tif 000012
【図１２】
0003975775.tif 000013
【図１３】
0003975775.tif 000014
【図１４】
0003975775.tif 000015
【図１５】
0003975775.tif 000016
【図１６】
0003975775.tif 000017
【図１７】
0003975775.tif 000018
【図１８】
0003975775.tif 000019
【図１９】
0003975775.tif 000020
【図２０】
0003975775.tif 000021
【図２１】
0003975775.tif 000022
【図２２】
0003975775.tif 000023
【図２３】
0003975775.tif 000024
【図２４】
0003975775.tif 000025
【図２５】
0003975775.tif 000026
【図２６】
0003975775.tif 000027
【図２７】
0003975775.tif 000028
【図２８】
0003975775.tif 000029
【図２９】
0003975775.tif 000030
【図３０】
0003975775.tif 000031
【図３１】
0003975775.tif 000032
【図３２】
0003975775.tif 000033
【図３３】
0003975775.tif 000034
【図３４】
0003975775.tif 000035
【図３５】
0003975775.tif 000036
【図３６】
0003975775.tif 000037
【図３７】
0003975775.tif 000038
【図３８】
0003975775.tif 000039
【図３９】
0003975775.tif 000040
【図４０】
0003975775.tif 000041